(57)【要約】  専用短距離通信（ＤＳＲＣ）スペクトルの少なくとも一部を使用するか否かを決定するためにＤＳＲＣ送信を検出する方法、システム、およびデバイスを記述している。１つの実施形態において、マルチモードデバイスを、第１のクロックレートを使用して、ＤＳＲＣスペクトルの外側で動作させ、その後、ＤＳＲＣスペクトルの外側で動作している間に第２のクロックレートにスイッチさせて、ＤＳＲＣスペクトルを使用するＤＳＲＣ送信を検出させることができる。【選択図】図７
2016523461.tif 000002
【特許請求の範囲】
【請求項１】
専用短距離通信（ＤＳＲＣ）スペクトルの少なくとも一部を使用するか否かを決定するためにＤＳＲＣ送信を検出する方法において、
前記方法は、
マルチモードデバイスによって、第１のクロックレートを使用して、前記ＤＳＲＣスペクトルの外側で動作することと、
前記ＤＳＲＣスペクトルの外側で動作している間に第２のクロックレートにスイッチして、前記ＤＳＲＣスペクトルを使用するＤＳＲＣ送信を検出することとを含む方法。
【請求項２】
前記検出したＤＳＲＣ送信がしきい値を超えるか否かを決定することをさらに含む請求項１記載の方法。
【請求項３】
前記検出したＤＳＲＣ送信が前記しきい値を超えないことを決定した際に、前記第１のクロックレートにスイッチすることと、
前記ＤＳＲＣスペクトルの少なくとも一部中で動作することとをさらに含む請求項２記載の方法。
【請求項４】
前記検出したＤＳＲＣ送信が前記しきい値を超えることを決定した際に、前記第１のクロックレートにスイッチすることと、
予め定められた時間期間に対して、前記ＤＳＲＣスペクトルの外側で動作を継続することとをさらに含む請求項２記載の方法。
【請求項５】
予め定められた時間期間に対して、前記第２のクロックレートで動作することと、
前記予め定められた時間期間の満了の際に、前記第１のクロックレートにスイッチすることとをさらに含む請求項１記載の方法。
【請求項６】
１つ以上の検出したＤＳＲＣ送信の発生を、アクセスポイント（ＡＰ）に報告することと、
前記報告したＤＳＲＣ送信の発生に少なくとも部分的に基づいている命令を、前記ＡＰから受信することと、
前記ＡＰから受信した命令に少なくとも部分的に基づいて、前記ＤＳＲＣスペクトルの少なくとも一部中で動作することとをさらに含む請求項１記載の方法。
【請求項７】
前記第２のクロックレートで動作している間に、前記ＤＳＲＣスペクトル内の複数の周波数帯域のうちの少なくとも１つを監視することをさらに含む請求項１記載の方法。
【請求項８】
前記監視した周波数帯域の各々における、送信のアクティビティレベルを決定することをさらに含む請求項７記載の方法。
【請求項９】
前記第１のクロックレートにスイッチすることと、
前記監視した周波数帯域のうちの少なくとも１つを選択することと、
前記少なくとも１つの選択した周波数帯域を使用して、前記ＤＳＲＣスペクトル中で動作することとをさらに含み、
前記周波数帯域は、前記決定したアクティビティレベルに少なくとも部分的に基づいて選択される請求項８記載の方法。
【請求項１０】
前記監視した周波数帯域のうちの少なくとも１つを選択することは、
前記ＤＳＲＣスペクトル中のセーフティ関連送信に対して割り振られている周波数帯域の選択を避けることを含む請求項９記載の方法。
【請求項１１】
前記第２のクロックレートは、前記第１のクロックレートの半分である請求項１記載の方法。
【請求項１２】
専用短距離通信（ＤＳＲＣ）スペクトルの少なくとも一部を使用するか否かを決定するためにＤＳＲＣ送信を検出するマルチモードデバイスにおいて、
前記マルチモードデバイスは、
プロセッサと、
前記プロセッサと電子通信するメモリと、
前記メモリ中に記憶されている命令とを具備し、
前記命令は、
第１のクロックレートを使用して、前記ＤＳＲＣスペクトルの外側で前記マルチモードデバイスを動作させ、
前記ＤＳＲＣスペクトルの外側で動作している間に第２のクロックレートにスイッチして、前記ＤＳＲＣスペクトルを使用するＤＳＲＣ送信を検出するように、前記プロセッサによって実行可能であるマルチモードデバイス。
【請求項１３】
前記命令は、
前記検出したＤＳＲＣ送信がしきい値を超えるか否かを決定するように、前記プロセッサによって実行可能である請求項１２記載のマルチモードデバイス。
【請求項１４】
前記命令は、
前記検出したＤＳＲＣ送信が前記しきい値を超えないことを決定した際に、前記第１のクロックレートにスイッチし、
前記ＤＳＲＣスペクトルの少なくとも一部中で動作するように、前記プロセッサによって実行可能である請求項１３記載のマルチモードデバイス。
【請求項１５】
前記命令は、
前記検出したＤＳＲＣ送信が前記しきい値を超えることを決定した際に、前記第１のクロックレートにスイッチし、
予め定められた時間期間に対して、前記ＤＳＲＣスペクトルの外側で動作を継続するように、前記プロセッサによって実行可能である請求項１３記載のマルチモードデバイス。
【請求項１６】
前記命令は、
予め定められた時間期間に対して、前記第２のクロックレートで動作し、
前記予め定められた時間期間の満了の際に、前記第１のクロックレートにスイッチするように、前記プロセッサによって実行可能である請求項１２記載のマルチモードデバイス。
【請求項１７】
前記命令は、
１つ以上の検出したＤＳＲＣ送信の発生を、アクセスポイント（ＡＰ）に報告し、
前記報告したＤＳＲＣ送信の発生に少なくとも部分的に基づいている命令を、前記ＡＰから受信し、
前記ＡＰから受信した命令に少なくとも部分的に基づいて、前記ＤＳＲＣスペクトルの少なくとも一部中で動作するように、前記プロセッサによって実行可能である請求項１２記載のマルチモードデバイス。
【請求項１８】
前記命令は、
前記第２のクロックレートで動作している間に、前記ＤＳＲＣスペクトル内の複数の周波数帯域のうちの少なくとも１つを監視するように、前記プロセッサによって実行可能である請求項１２記載のマルチモードデバイス。
【請求項１９】
前記命令は、
前記監視した周波数帯域の各々における、送信のアクティビティレベルを決定するように、前記プロセッサによって実行可能である請求項１８記載のマルチモードデバイス。
【請求項２０】
前記命令は、
前記第１のクロックレートにスイッチし、
前記監視した周波数帯域のうちの少なくとも１つを選択し、
前記少なくとも１つの選択した周波数帯域を使用して、前記ＤＳＲＣスペクトル中で動作するように、前記プロセッサによって実行可能であり、
前記周波数帯域は、前記決定したアクティビティレベルに少なくとも部分的に基づいて選択される請求項１９記載のマルチモードデバイス。
【請求項２１】
前記命令は、
前記ＤＳＲＣスペクトル中のセーフティ関連送信に対して割り振られている周波数帯域の選択を避けるように、前記プロセッサによって実行可能である請求項２０記載のマルチモードデバイス。
【請求項２２】
前記第２のクロックレートは、前記第１のクロックレートの半分である請求項１２記載のマルチモードデバイス。
【請求項２３】
専用短距離通信（ＤＳＲＣ）スペクトルの少なくとも一部を使用するか否かを決定するためにＤＳＲＣ送信を検出するマルチモードデバイスにおいて、
前記マルチモードデバイスは、
第１のクロックレートを使用して、前記ＤＳＲＣスペクトルの外側で前記マルチモードデバイスを動作させる手段と、
前記ＤＳＲＣスペクトルの外側で動作している間に第２のクロックレートにスイッチして、前記ＤＳＲＣスペクトルを使用するＤＳＲＣ送信を検出する手段とを具備するマルチモードデバイス。
【請求項２４】
前記検出したＤＳＲＣ送信がしきい値を超えるか否かを決定する手段をさらに具備する請求項２３記載のマルチモードデバイス。
【請求項２５】
前記検出したＤＳＲＣ送信が前記しきい値を超えないことを決定した際に、前記第１のクロックレートにスイッチする手段と、
前記ＤＳＲＣスペクトルの少なくとも一部中で動作する手段とをさらに具備する請求項２４記載のマルチモードデバイス。
【請求項２６】
前記検出したＤＳＲＣ送信が前記しきい値を超えることを決定した際に、前記第１のクロックレートにスイッチする手段と、
予め定められた時間期間に対して、前記ＤＳＲＣスペクトルの外側で動作を継続する手段とをさらに具備する請求項２４記載のマルチモードデバイス。
【請求項２７】
予め定められた時間期間に対して、前記第２のクロックレートで動作する手段と、
前記予め定められた時間期間の満了の際に、前記第１のクロックレートにスイッチする手段とをさらに具備する請求項２３記載のマルチモードデバイス。
【請求項２８】
１つ以上の検出したＤＳＲＣ送信の発生を、アクセスポイント（ＡＰ）に報告する手段と、
前記報告したＤＳＲＣ送信の発生に少なくとも部分的に基づいている命令を、前記ＡＰから受信する手段と、
前記ＡＰから受信した命令に少なくとも部分的に基づいて、前記ＤＳＲＣスペクトルの少なくとも一部中で動作する手段とをさらに具備する請求項２３記載のマルチモードデバイス。
【請求項２９】
前記第２のクロックレートで動作している間に、前記ＤＳＲＣスペクトル内の複数の周波数帯域のうちの少なくとも１つを監視する手段をさらに具備する請求項２３記載のマルチモードデバイス。
【請求項３０】
専用短距離通信（ＤＳＲＣ）スペクトルの少なくとも一部を使用するか否かを決定するためにＤＳＲＣ送信を検出するコンピュータプログラムプロダクトにおいて、
前記コンピュータプログラムプロダクトは、命令を記憶する一時的でないコンピュータ読み取り可能媒体を具備し、
前記命令は、
第１のクロックレートを使用して、前記ＤＳＲＣスペクトルの外側でマルチモードデバイスを動作させ、
前記ＤＳＲＣスペクトルの外側で動作している間に第２のクロックレートにスイッチして、前記ＤＳＲＣスペクトルを使用するＤＳＲＣ送信を検出するように、プロセッサによって実行可能であるコンピュータプログラムプロダクト。
【発明の詳細な説明】
【相互参照】
【０００１】
［０００１］
本特許出願は、２０１４年５月２３日に出願された、“ＷＩ−ＦＩがＤＳＲＣスペクトルを使用するためのＤＳＲＣリスニングモード”というタイトルの、ホゼおよびその他による米国特許出願番号第１４／２８６，５６５号と、２０１３年５月３１日に出願された、“ＷＩ−ＦＩがＤＳＲＣスペクトルを使用するためのＤＳＲＣリスニングモード”というタイトルの、ホゼおよびその他による米国仮特許出願番号第６１／８２９，４９０号とに対して優先権を主張し、これらの出願の各々は本出願の譲受人に譲渡されている。
【背景】
【０００２】
［０００２］
ワイヤレス通信システムは、音声、ビデオ、パケットデータ、メッセージング、ブロードキャストなどのような、さまざまなタイプの通信コンテンツを提供するように、幅広く配備されている。これらのシステムは、利用可能なシステムリソース（例えば、時間、周波数、および電力）を共有することによって複数のユーザとの通信をサポートすることが可能である、多元接続システムであるかもしれない。このような多元接続システムの例には、コード分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００３】
［０００３］
一般的に、ワイヤレス多元接続通信システムは、複数の移動体デバイスに対する通信を各々が同時にサポートする多数の基地局を含んでいる。基地局は、ダウンストリームリンクおよびアップストリームリンク上で移動体デバイスと通信することができる。各基地局はカバレッジ範囲を有しており、カバレッジ範囲は、セルのカバレッジエリアと呼ばれることもある。送信に対して利用可能な帯域幅は、送信のデータレートおよびスループットに影響を及ぼす。帯域幅が増加するにしたがって、データレートも増加するかもしれない。
【０００４】
［０００４］
セルラネットワークおよびＷｉ−Ｆｉネットワーク上で通信するマルチモードデバイスは、それらの送信に対して、増加された量の帯域幅を使用することを望むかもしれない。ＤＳＲＣスペクトル中で動作しているデバイスに割り振られている帯域幅は典型的に、ＤＳＲＣ関連送信に対して使用される。マルチモードデバイスがＤＳＲＣスペクトルを使用してその帯域幅を拡張する場合、これらのＤＳＲＣ関連送信への干渉が生じるかもしれない。したがって、非ＤＳＲＣ送信を実行するデバイスにＤＳＲＣスペクトルが共有されるとき、ＤＳＲＣ関連送信への干渉を最小化するための技術が望まれる。
【概要】
【０００５】
［０００５］
記述する特徴は概して、専用短距離通信（ＤＳＲＣ）スペクトルの少なくとも一部を使用するか否かを決定するためにＤＳＲＣ送信を検出する、１つ以上の改善された方法、システム、および／または装置に関連している。
【０００６】
［０００６］
ＤＳＲＣスペクトルの少なくとも一部を使用するか否かを決定するためにＤＳＲＣ送信を検出する方法を記述している。１つのコンフィギュレーションにおいて、マルチモードデバイスを、第１のクロックレートを使用して、ＤＳＲＣスペクトルの外側で動作させ、その後、ＤＳＲＣスペクトルの外側で動作している間に第２のクロックレートにスイッチさせて、ＤＳＲＣスペクトルを使用するＤＳＲＣ送信を検出させることができる。
【０００７】
［０００７］
いくつかの実施形態において、専用短距離通信（ＤＳＲＣ）スペクトルの少なくとも一部を使用するか否かを決定するためにＤＳＲＣ送信を検出する方法は、マルチモードデバイスによって、第１のクロックレートを使用して、ＤＳＲＣスペクトルの外側で動作することと、ＤＳＲＣスペクトルの外側で動作している間に第２のクロックレートにスイッチして、ＤＳＲＣスペクトルを使用するＤＳＲＣ送信を検出することとを含んでいる。
【０００８】
［０００８］
いくつかの実施形態において、専用短距離通信（ＤＳＲＣ）スペクトルの少なくとも一部を使用するか否かを決定するためにＤＳＲＣ送信を検出するマルチモードデバイスは、プロセッサと、プロセッサと電子通信するメモリと、メモリ中に記憶されている命令とを備えている。命令は、第１のクロックレートを使用して、ＤＳＲＣスペクトルの外側でマルチモードデバイスを動作させ、ＤＳＲＣスペクトルの外側で動作している間に第２のクロックレートにスイッチして、ＤＳＲＣスペクトルを使用するＤＳＲＣ送信を検出するように、プロセッサによって実行可能である。
【０００９】
［０００９］
いくつかの実施形態において、専用短距離通信（ＤＳＲＣ）スペクトルの少なくとも一部を使用するか否かを決定するためにＤＳＲＣ送信を検出するマルチモードデバイスは、第１のクロックレートを使用して、ＤＳＲＣスペクトルの外側でマルチモードデバイスを動作させる手段と、ＤＳＲＣスペクトルの外側で動作している間に第２のクロックレートにスイッチして、ＤＳＲＣスペクトルを使用するＤＳＲＣ送信を検出する手段とを備えている。
【００１０】
［００１０］
いくつかの実施形態において、専用短距離通信（ＤＳＲＣ）スペクトルの少なくとも一部を使用するか否かを決定するためにＤＳＲＣ送信を検出するコンピュータプログラムプロダクトは、命令を記憶する一時的でないコンピュータ読み取り可能媒体を備えており、命令は、第１のクロックレートを使用して、ＤＳＲＣスペクトルの外側でマルチモードデバイスを動作させ、ＤＳＲＣスペクトルの外側で動作している間に第２のクロックレートにスイッチして、ＤＳＲＣスペクトルを使用するＤＳＲＣ送信を検出するように、プロセッサによって実行可能である。
【００１１】
［００１１］
方法、デバイス、および／またはコンピュータプログラムプロダクトのさまざまな実施形態は、検出したＤＳＲＣ送信がしきい値を超えるか否かを決定する特徴、手段、および／または、プロセッサによって実行可能な命令を備えている。
【００１２】
［００１２］
方法、デバイス、および／またはコンピュータプログラムプロダクトのさまざまな実施形態は、検出したＤＳＲＣ送信がしきい値を超えないことを決定した際に、第１のクロックレートにスイッチし、ＤＳＲＣスペクトルの少なくとも一部中で動作する特徴、手段、および／または、プロセッサによって実行可能な命令を備えている。
【００１３】
［００１３］
方法、デバイス、および／またはコンピュータプログラムプロダクトのさまざまな実施形態は、検出したＤＳＲＣ送信がしきい値を超えることを決定した際に、第１のクロックレートにスイッチし、予め定められた時間期間に対して、ＤＳＲＣスペクトルの外側で動作を継続する特徴、手段、および／または、プロセッサによって実行可能な命令を備えている。
【００１４】
［００１４］
方法、デバイス、および／またはコンピュータプログラムプロダクトのさまざまな実施形態は、予め定められた時間期間に対して、第２のクロックレートで動作し、予め定められた時間期間の満了の際に、第１のクロックレートにスイッチする特徴、手段、および／または、プロセッサによって実行可能な命令を備えている。
【００１５】
［００１５］
方法、デバイス、および／またはコンピュータプログラムプロダクトのさまざまな実施形態は、１つ以上の検出したＤＳＲＣ送信の発生を、アクセスポイント（ＡＰ）に報告し、報告したＤＳＲＣ送信の発生に少なくとも部分的に基づいている命令を、ＡＰから受信し、ＡＰから受信した命令に少なくとも部分的に基づいて、ＤＳＲＣスペクトルの少なくとも一部中で動作する特徴、手段、および／または、プロセッサによって実行可能な命令を備えている。
【００１６】
［００１６］
方法、デバイス、および／またはコンピュータプログラムプロダクトのさまざまな実施形態は、第２のクロックレートで動作している間に、ＤＳＲＣスペクトル内の複数の周波数帯域のうちの少なくとも１つを監視する特徴、手段、および／または、プロセッサによって実行可能な命令を備えている。
【００１７】
［００１７］
方法、デバイス、および／またはコンピュータプログラムプロダクトのさまざまな実施形態は、監視した周波数帯域の各々における、送信のアクティビティレベルを決定する特徴、手段、および／または、プロセッサによって実行可能な命令を備えている。
【００１８】
［００１８］
方法、デバイス、および／またはコンピュータプログラムプロダクトのさまざまな実施形態は、第１のクロックレートにスイッチし、監視した周波数帯域のうちの少なくとも１つを選択し、少なくとも１つの選択した周波数帯域を使用して、ＤＳＲＣスペクトル中で動作し、周波数帯域は、決定したアクティビティレベルに少なくとも部分的に基づいて選択される特徴、手段、および／または、プロセッサによって実行可能な命令を備えている。いくつかのケースにおいて、監視した周波数帯域のうちの少なくとも１つを選択することは、ＤＳＲＣスペクトル中のセーフティ関連送信に対して割り振られている周波数帯域の選択を避けることを含んでいる。第２のクロックレートは第１のクロックレートの半分であってもよい。
【００１９】
［００１９］
記述する方法および装置の適用可能なさらなる範囲が、以下の詳細な説明、特許請求の範囲、および図面から明白となるであろう。詳細な説明、および特定の例は、実例として与えているに過ぎず、記述の精神および範囲内においてさまざまな変更および修正を行ってもよいことが当業者に明白となるであろう。
【図面の簡単な説明】
【００２０】
［００２０］
以下の図面を参照することによって、本発明の特質および利点のさらなる理解が実現されるだろう。添付した図において、同様のコンポーネントまたは特徴は同一の参照ラベルを有している。さらに、同一のタイプのさまざまなコンポーネントは、同様のコンポーネント間を識別するダッシュおよび第２のラベルが参照ラベルに続くことによって識別される。明細書中で第１の参照ラベルのみが使用されている場合は、第２の参照ラベルを問わず、同一の第１の参照ラベルを有する同様のコンポーネントのうちの任意のものに記述が適用可能である。  
【図１】［００２１］  図１は、ワイヤレス通信システムのブロックダイヤグラムを示している。
【図２】［００２２］  図２は、周波数スペクトルに沿った周波数帯域割り振りを図示するダイヤグラムである。
【図３】［００２３］  図３は、さまざまな実施形態にしたがった、マルチモードデバイスの１つの例を図示するブロックダイヤグラムを示している。
【図４】［００２４］  図４は、さまざまな実施形態にしたがった、マルチモードデバイスの別の例を図示するブロックダイヤグラムを示している。
【図５】［００２５］  図５は、さまざまな実施形態にしたがった、マルチモードデバイスのさらに別の例を図示するブロックダイヤグラムである。
【図６】［００２６］  図６は、ＤＳＲＣスペクトルの使用を管理できるように構成されている通信システムのブロックダイヤグラムを示している。
【図７】［００２７］  図７は、ＤＳＲＣスペクトルの使用を管理するための、マルチモードデバイスとアクセスポイントとの間の通信の１つの例を図示するメッセージフローダイヤグラムである。
【図８】［００２８］  図８は、通信に対して使用することができる、周波数スペクトルに沿ったさまざまな周波数帯域に対する割り振り帯域幅を図示するダイヤグラムである。
【図９】［００２９］  図９は、ＤＳＲＣスペクトルの少なくとも一部を使用するか否かを決定するためにＤＳＲＣ送信を検出する方法の、１つの実施形態を図示するフローチャートである。
【図１０】［００３０］  図１０は、ＤＳＲＣスペクトルの少なくとも一部を使用するか否かを決定するためにＤＳＲＣ送信を検出する方法の、別の実施形態を図示するフローチャートである。
【図１１】［００３１］  図１１は、ＤＳＲＣスペクトルの少なくとも一部を使用するか否かを決定するためにＤＳＲＣ送信を検出する方法の、さらなる実施形態を図示するフローチャートである。
【詳細な説明】
【００２１】
［００３２］
利用可能な帯域幅の量に基づいて、情報およびデータをより高速におよび効率的に転送することができる。帯域幅のサイズ（例えば、幅）は、（例えば、典型的にヘルツで測定される）周波数の連続的な範囲における最高周波数と最低周波数との間の差である。多くの場合、データレート制限（例えば、チャネル容量、転送できる情報の量）は、帯域幅のサイズに比例する。例えば、８０ＭＨｚの帯域幅は、４０ＭＨｚの帯域幅よりも高いデータレート制限を有するだろう。結果として、より高いデータレートをサポートするためには、より広い帯域幅が必要とされる。帯域幅は、スペクトル（例えば、無線スペクトル）の少なくとも一部を占有する。結果として、帯域幅における増加は、スペクトルにおける増加を必要とする。しかしながら、追加のスペクトルを取得するのは難しいかもしれない。
【００２２】
［００３３］
ほとんどのケースにおいて、スペクトル使用は規制されている（例えば、割り振られている）。例えば、米国では、米国連邦通信委員会（ＦＣＣ）によってスペクトル使用が規制されている。米国では、５．１５〜５．２５ＧＨｚ（例えば、Ｕ−ＮＩＩ  １）、５．２５〜５．３５ＧＨｚ（例えば、Ｕ−ＮＩＩ  ２）、５．４７〜５．７２５ＧＨｚ（例えば、Ｕ−ＮＩＩ  ＷＷ）、および５．７２５〜５．８２５ＧＨｚ（例えば、Ｕ−ＮＩＩ  ３）の周波数帯域を、ライセンスされていない国家インフラストラクチャ（Ｕ−ＮＩＩ）スペクトルとして、５．８５〜５．９２５ＧＨｚの周波数帯域を、専用短距離通信（ＤＳＲＣ）スペクトルとしてＦＣＣは割り振っている。したがって、帯域幅は、割り振られているスペクトル中の割り当てられているスペースに制約されるかもしれない。結果として、割り振られているスペクトルの有限制約が原因で、利用可能な帯域幅（または、例えば、データレート制限）を増加させることは可能でないかもしれない。以下で説明するように、スペクトル共有を使用して、利用可能な帯域幅を増加させることができる。
【００２３】
［００３４］
１つの例において、ここで記述するシステムおよび方法は、Ｕ−ＮＩＩスペクトル帯域中で動作するマルチモードデバイスが、ＤＳＲＣスペクトル帯域を都合のよい機会に使用して帯域幅を増加させることを可能にする。例えば、ここで記述するシステムおよび方法は、Ｕ−ＮＩＩユーザ（例えば、ライセンスされていないＷｉ−Ｆｉユーザ）が、ＤＳＲＣスペクトル中のＤＳＲＣデバイスの存在を検出し、混乱を生じさせない態様で、隣接するＤＳＲＣスペクトルを２次ユーザとして共有することを可能にする。いくつかのコンフィギュレーションでは、マルチモードデバイスは、ＤＳＲＣデバイスへの干渉を低減または無くす方策を講じる。
【００２４】
［００３５］
以下の記述は例を提供しており、特許請求の範囲中で述べる範囲、適用可能性、およびコンフィギュレーションを制限するものではない。開示の精神または範囲から逸脱することなく、説明するエレメントの機能およびアレンジメントにおいて変更を行ってもよい。さまざまな実施形態は、適宜、さまざまな手順またはコンポーネントを省略、置換、または追加してもよい。例えば、記述する方法を、記述しているのとは異なる順序で実行してもよく、さまざまなステップを追加、省略、または組み合わせてもよい。また、ある実施形態に関して記述する特徴を、他の実施形態において組み合わせてもよい。
【００２５】
［００３６］
最初に図１を参照すると、ダイヤグラムは、ワイヤレス通信システム１００の例を図示している。システム１００は、（例えば、ＤＳＲＣ通信システム中の）ＤＳＲＣスペクトル内で動作する、ＤＳＲＣ基地局１０５とＤＳＲＣデバイス１１５とを備えている。システム１００はまた、ＤＳＲＣスペクトルの外側で動作する、通信基地局１２５と通信デバイス１３５とを備えている。１つの例において、通信基地局１２５と通信デバイス１３５は、（例えば、Ｗｉ−Ｆｉ通信システム中の）Ｕ−ＮＩＩスペクトル中で動作する。
【００２６】
［００３７］
ＦＣＣは、初めは、自動車の使用（例えば、インテリジェント交通システム）に対してＤＳＲＣスペクトルを割り振った。ＤＳＲＣ通信の例には、自動車に対する緊急警告、共同適応巡航制御、共同衝突警告、交差衝突回避、電子駐車場支払、車載シグナリング、電子料金収集などが含まれる。ＤＳＲＣ通信リンク１２０は、ＤＳＲＣデバイス１１５とＤＳＲＣ基地局１０５との間に、または、ＤＳＲＣデバイス１１５と別のＤＳＲＣデバイス１１５との間にある。いくつかのケースでは、ＤＳＲＣデバイス１１５間のＤＳＲＣ通信リンク１２０は、ＤＳＲＣ基地局１０５のカバレッジエリア１１０の外側で生じる。いくつかの実施形態では、ワイヤード通信リンクまたはワイヤレス通信リンクであるバックホールリンク１３４を通して、ＤＳＲＣ基地局１０５は互いに、直接または間接のいずれかで通信する。
【００２７】
［００３８］
ＤＳＲＣデバイス１１５は、ワイヤレス通信システム１００全体を通して分散していてもよく、各ＤＳＲＣデバイス１１５は静的であっても、または移動体であってもよい。ＤＳＲＣデバイス１１５は、自動車、交通信号機、踏切、基地局、セルラ電話機、パーソナルデジタルアシスタント（ＰＤＡ）、または、これらに類するものであってもよい。ＤＳＲＣデバイス１１５は、ＤＳＲＣ基地局１０５および他のＤＳＲＣデバイス１１５と通信することが可能であるかもしれない。各ＤＳＲＣ基地局１０５は、それぞれのＤＳＲＣ地理カバレッジエリア１１０に対して通信カバレッジを提供することができる。
【００２８】
［００３９］
（通信デバイスとも呼ぶ）マルチモードデバイス１３５も、ワイヤレス通信システム１００を通して分散していてもよい。各デバイス１３５は静的であっても、または移動体であってもよい。デバイス１３５は、当業者によってＷｉ−Ｆｉデバイス、移動局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または、他の何らかの適切な専門用語でも呼ばれるかもしれない。マルチモードデバイス１３５は、ＤＳＲＣ内で動作するように試行するＷｉ−Ｆｉデバイスであるかもしれない。デバイス１３５はまた、セルラ電話機、パーソナルデジタルアシスタント（ＰＤＡ）、ワイヤレスモデム、ワイヤレス通信デバイス、ハンドヘルドデバイス、タブレットコンピュータ、ラップトップコンピュータ、コードレス電話機、ワイヤレスローカルループ（ＷＬＬ）局、または、これらに類するものであってもよい。
【００２９】
［００４０］
通信デバイス１３５は、通信基地局１２５および／または他の通信デバイス１３５と通信することが可能であるかもしれない。通信基地局１２５サイトの各々は、それぞれの通信地理カバレッジエリア１３０に対して通信カバレッジを提供することができる。通信リンク１４０は、通信デバイス１３５と、通信基地局１２５および／または通信デバイス１３５との間の通信を提供する。いくつかの実施形態において、通信基地局１２５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または、他の何らかの適切な専門用語で呼ばれるかもしれない。通信基地局１２５に対するカバレッジエリア１３０は、カバレッジエリアの一部のみを成す（示していない）セクタへと分割することができる。
【００３０】
［００４１］
ワイヤレス通信システム１００は、複数搬送波（異なる周波数の波形信号）上での動作もサポートすることができる。複数搬送波送信機は、複数搬送波上で同時に変調信号を送信することができる。例えば、各通信リンク１４０（および、例えば、ＤＳＲＣ通信リンク１２０）は、さまざまな無線機技術にしたがって変調された複数搬送波信号である。各変調信号は、異なる搬送波上で送ることができ、制御情報（例えば、基準信号、制御チャネルなど）、オーバーヘッド情報、データなどを運ぶことができる。
【００３１】
［００４２］
図１において示しているように、通信基地局１２５のカバレッジエリア１３０は、ＤＳＲＣ基地局１０５のカバレッジエリア１１０とオーバーラップしているかもしれない。典型的なシナリオでは、ＤＳＲＣ通信システムがＤＳＲＣスペクトル中で動作している一方で、他の通信システムはＤＳＲＣスペクトルの外側で（例えば、Ｕ−ＮＩＩスペクトル中で）動作しているので、オーバーラップしているカバレッジエリア（または、例えば、１つ以上のカバレッジエリアの外側でのオーバーラップする使用）は、結果として干渉にならないだろう。しかしながら、いくつかの実施形態では、ここで記述するシステムおよび方法は、通信基地局１２５および／または通信デバイス１３５によって都合のよい機会にＤＳＲＣスペクトルを使用するための技術を記述しており、これは、結果としてＤＳＲＣ通信システムに対する干渉になることがある。１つの例において、マルチモード通信デバイス１３５（または、単に、マルチモードデバイス）は、ＤＳＲＣスペクトルの少なくとも一部におけるアクティビティレベルを検出し、検出したアクティビティレベルに少なくとも部分的に基づいて、都合のよい機会にＤＳＲＣスペクトルを使用することができる。追加的または代替的に、マルチモード通信デバイス１３５の位置がＤＳＲＣ送信に属する地理エリアの外側であることに基づいて、マルチモード通信デバイス１３５は、都合のよい機会にＤＳＲＣスペクトルの少なくとも一部を使用してもよい。追加的または代替的に、マルチモード通信デバイス１３５は、アクセスパラメータを適応させて、ＤＳＲＣスペクトルを使用する送信に優先度を提供してもよい。追加的または代替的に、マルチモード通信デバイス１３５は、ＤＳＲＣスペクトルの外側で動作している間に第１のクロックレートを使用するかもしれず、第２のクロックレートにスイッチして、ＤＳＲＣスペクトルを使用する送信を検出するかもしれない。
【００３２】
［００４３］
図２は、５ＧＨｚスペクトル２００におけるさまざまなスペクトル割り振りの、例示的なビューを示している。図２において図示しているように、５ＧＨｚスペクトル２００は、Ｕ−ＮＩＩ  １周波数帯域２０５（例えば、５１７０〜５２５０ＭＨｚ）と、Ｕ−ＮＩＩ  ２周波数帯域２１０（例えば、５２５０〜５３５０ＭＨｚ）と、Ｕ−ＮＩＩ  ＷＷ周波数帯域２１５（例えば、５４７０〜５７２５ＭＨｚ）と、Ｕ−ＮＩＩ  ３周波数帯域２２０（例えば、５７２５〜５８２５ＭＨｚ）と、ＤＳＲＣ周波数帯域２２５（例えば、５８５０〜５９２５ＭＨｚ）とを含んでいる。
【００３３】
［００４４］
各周波数帯域は、１つ以上のチャネルを使用するように割り振られているかもしれない。各チャネルは、帯域幅（例えば、１０ＭＨｚ、２０ＭＨｚ、４０ＭＨｚ、８０ＭＨｚ、１６０ＭＨｚなど）を占有する。上記で着目したように、増加させた帯域幅は結果として、より高いデータレートになる。結果として、チャネルの数を増加させること、および／または、チャネルの帯域幅を増加させることが、望ましいかもしれない。あいにく、スペクトル割り振りがチャネルの数および／またはサイズを制限するかもしれない。例えば、（例えば、８０ＭＨｚを占有する）Ｕ−ＮＩＩ  １周波数帯域２０５は、（例えば、チャネルインデックス３６、４０、４４、および４８を有する）４個までの２０ＭＨｚチャネル２３０を、２個までの４０ＭＨｚチャネル２３５を、または、１個の８０ＭＨｚチャネル２４０をサポートすることができる。同様に、Ｕ−ＮＩＩ  ２周波数帯域２１０は、（例えば、チャネルインデックス５２、５６、６０、および６４を有する）４個までの２０ＭＨｚチャネル２３０を、２個までの４０ＭＨｚチャネル２３５を、または、１個の８０ＭＨｚチャネル２４０をサポートすることができる。結果として、Ｕ−ＮＩＩ  １周波数帯域２０５とＵ−ＮＩＩ  ２周波数帯域２１０のどちらも、１６０ＭＨｚチャネル２４５を個々にはサポートすることができない。あるデバイス（例えば、Ｗｉ−Ｆｉデバイス）は、Ｕ−ＮＩＩ  １周波数帯域２０５とＵ−ＮＩＩ  ２周波数帯域２１０との両方に渡って動作することができる。結果として、Ｕ−ＮＩＩ  １周波数帯域２０５とＵ−ＮＩＩ  ２周波数帯域２１０が、事実上組み合わされて、結果として、５１７０〜５３５０ＭＨｚ周波数帯域になる。それに応じて、１６０ＭＨｚチャネル２４５（例えば、５１７０〜５３３０ＭＨｚ）をサポートすることができる。
【００３４】
［００４５］
図２において図示しているように、Ｕ−ＮＩＩ  ３周波数帯域２２０（例えば、５７２５〜５８２５ＭＨｚ）は、（例えば、チャネルインデックス１４９、１５３、１５７、１６１、および１６５を有する）５個までの２０ＭＨｚチャネル２３０を、２個までの４０ＭＨｚチャネル２３５を、または、１個の８０ＭＨｚチャネル２４０をサポートすることができる。典型的に、ＤＳＲＣ周波数帯域２２５は、１０ＭＨｚチャネルを使用してＤＳＲＣ通信をサポートする。いくつかのケースにおいて、ここで記述するシステムおよび方法は、（例えば、２次ユーザとして）ＤＳＲＣ周波数帯域を都合のよい機会に使用することができる。１つの実施形態において、マルチモードデバイスは、ＤＳＲＣ送信に属していないエリアに位置しているときに、ＤＳＲＣスペクトルを使用することができる。結果として、Ｕ−ＮＩＩ  ３周波数帯域２２０とＤＳＲＣ周波数帯域２２５が、事実上組み合わされて、結果として、５７２５〜５９２５ＭＨｚ周波数帯域になる。それに応じて、組み合わされた周波数帯域は、（例えば、チャネルインデックス１４９、１５３、１５７、１６１、１６５、１６９、１７３、１７７、および１８１を有する）９個までの２０ＭＨｚチャネル２３０を、４個までの４０ＭＨｚチャネル２３５を、２個までの８０ＭＨｚチャネル２４０を、および、１個までの１６０ＭＨｚチャネル２４５をサポートすることができる。したがって、ＤＳＲＣスペクトルの共有は、利用可能なチャネルの数、および／または、利用可能なチャネルのサイズを、実質的に増加させることができる。１つの例において、Ｕ−ＮＩＩ周波数帯域とＤＳＲＣ周波数帯域とに渡るスペクトル共有は、２９個までの２０ＭＨｚチャネル２３０を、１４個までの４０ＭＨｚチャネル２３５を、７個までの８０ＭＨｚチャネル２４０を、および、３個までの１６０ＭＨｚチャネル２４５をサポートすることができる。これらの増加は、（例えば、より高いスループットを可能にする）増加されたデータレートを可能にする。例えば、増加されたデータレートを使用して、高精細ビデオフォーマット（例えば、超高精細テレビ（ＵＨＤＴＶ））を送信することができる。
【００３５】
［００４６］
図３は、デバイス１３５−ａのブロックダイヤグラム３００である。デバイス１３５−ａは、図１を参照して記述したマルチモードデバイス１３５の１つ以上の態様の例である。デバイス１３５−ａは、Ｗｉ−Ｆｉデバイス、パーソナルコンピュータ（例えば、ラップトップコンピュータ、ネットブックコンピュータ、タブレットコンピュータなど）、セルラ電話機、パーソナルデジタルアシスタント（ＰＤＡ）、デジタルビデオレコーダ（ＤＶＲ）、インターネット電気機器、ゲーミングコンソール、ｅ−リーダなどのコンフィギュレーションのような、さまざまなコンフィギュレーションの任意のものを有している。デバイス１３５−ａは、移動体動作を容易にするために、小型のバッテリーのような（示していない）内部電源を有していてもよい。
【００３６】
［００４７］
デバイス１３５−ａは、少なくとも１つのアンテナ（アンテナ３３５）と、少なくとも１つのトランシーバモジュール（トランシーバモジュール３３０）と、メモリ３１５と、プロセッサモジュール３１０とを備えており、これらは各々、（例えば、１つ以上のバスを介して）互いに、直接または間接に通信することができる。図１を参照して記述したように、トランシーバモジュール３３０は、アンテナ３３５、ならびに／あるいは、１つ以上のワイヤードリンクまたはワイヤレスリンクを介して、１つ以上のネットワークと双方向に通信するように構成されている。例えば、トランシーバモジュール３３０は、図１のアクセスポイント１２５または他のマルチモードデバイス１３５のうちの１つ以上と、双方向に通信するように構成されている。トランシーバモジュール３３０は、パケットを変調し、変調したパケットを送信のためにアンテナ３３５に提供するようにと、アンテナ３３５から受信したパケットを復調するように構成されている、少なくとも１つのモデムを備えていてもよい。デバイス１３５−ａは単一のアンテナを備えていてもよいが、デバイス１３５−ａは典型的に、複数のリンクに対する複数のアンテナを備えているだろう。
【００３７】
［００４８］
メモリ３１５は、ランダムアクセスメモリ（ＲＡＭ）および／またはリードオンリーメモリ（ＲＯＭ）を備えていてもよい。実行されたときに、ここで記述するさまざまな機能（例えば、ＤＳＲＣスペクトル管理など）をプロセッサモジュール３１０に実行させるように構成されている命令を含む、コンピュータ読み取り可能なコンピュータ実行可能ソフトウェアコード３２０を、メモリ３１５は記憶することができる。代替的に、ソフトウェアコード３２０は、プロセッサモジュール３１０によって直接的に実行可能でなくてもよく、（例えば、コンパイルされて実行されたときに）ここで記述する機能をデバイス１３５−ａに実行させるように構成されていてもよい。
【００３８】
［００４９］
プロセッサモジュール３１０は、インテリジェントなハードウェアデバイスを、例えば、中央処理ユニット（ＣＰＵ）、マイクロ制御装置、特定用途向け集積回路（ＡＳＩＣ）などを備えていてもよい。プロセッサモジュール３１０は、マイクロフォンを介してオーディオを受け取るようにと、オーディオを、受け取ったオーディオを表す（例えば、長さが３０ｍｓの）パケットに変換するようにと、オーディオパケットをトランシーバモジュール３３０に提供するようにと、ユーザが話しているか否かの表示を提供するように構成されている（示していない）スピーチエンコーダを備えていてもよい。代替的に、エンコーダは、パケットをトランシーバモジュール３３０に提供するのみでもよく、パケットの提供または保留／抑制そのものが、ユーザが話しているか否かの表示を提供する。
【００３９】
［００５０］
図３のアーキテクチャにしたがうと、デバイス１３５−ａはさらに、通信管理モジュール３２５と状態モジュール３４０とを備えている。通信管理モジュール３２５は、他のデバイス１３５との通信を管理することができる。例として、通信管理モジュール３２５は、マルチモードデバイス１３５−ａの他のコンポーネントのうちのいくつかまたはすべてとバスを介して通信する、マルチモードデバイス１３５−ａのコンポーネントであるかもしれない。代替的に、通信管理モジュール３２５の機能性を、トランシーバモジュール３３０のコンポーネントとして、コンピュータプログラムプロダクトとして、および／または、プロセッサモジュール３１０の１つ以上の制御装置エレメントとして実現してもよい。状態モジュール３４０は、現在のデバイス状態（例えば、状況、認証、基地局関係、他の接続性問題）を反映および制御することができる。
【００４０】
［００５１］
デバイス１３５−ａはさらに、ＤＳＲＣスペクトル管理モジュール３０５を備えている。例として、ＤＳＲＣスペクトル管理モジュール３０５は、マルチモードデバイス１３５−ａの他のコンポーネントのうちのいくつかまたはすべてとバスを介して通信する、マルチモードデバイス１３５−ａのコンポーネントであるかもしれない。代替的に、ＤＳＲＣスペクトル管理モジュール３０５の機能性を、コンピュータプログラムプロダクトとして、および／または、プロセッサモジュール３１０の１つ以上の制御装置エレメントとして実現してもよい。スペクトル管理モジュール３０５は、デバイスによるＤＳＲＣ送信の検出を管理して、デバイス１３５−ａがＤＳＲＣスペクトルの少なくとも一部を使用することができるか否かを決定することができる。例えば、モジュール３０５は、１）第１のクロックレートを使用する、ＤＳＲＣスペクトルの外側での動作から、２）第２のクロックレートを使用する動作に、デバイス１３５−ａをスイッチさせるかもしれない。モジュール３０５はその後、デバイス１３５−ａがＤＳＲＣスペクトルの外側で動作を継続する間に、ＤＳＲＣスペクトルを使用するＤＳＲＣ送信のデバイスによる検出を管理するかもしれない。検出したＤＳＲＣ送信のアクティビティレベルがしきい値を超えないことを決定した際に、モジュール３０５は、第１のクロックレートを使用する動作に戻すようにデバイス１３５−ａをスイッチさせ、デバイス１３５−ａがＤＳＲＣスペクトルの少なくとも一部内で動作できるようにするかもしれない。しかしながら、検出したＤＳＲＣ送信のアクティビティレベルがしきい値を超えることを決定した際には、モジュール３０５は、第１のクロックレートを使用する動作に戻すようにデバイス１３５−ａをスイッチさせ、確実に、デバイス１３５−ａがＤＳＲＣスペクトルの外側で動作を継続するようにするかもしれない。
【００４１】
［００５２］
ハードウェア中の適用可能な機能のいくつかまたはすべてを実行するように適合されている１つ以上の特定用途向け集積回路（ＡＳＩＣ）により、デバイス１３５−ａのコンポーネントを個々または共同で実現してもよい。代替的に、１つ以上の集積回路上で、１つ以上の他の処理ユニット（またはコア）によって機能を実行してもよい。他の実施形態において、技術的に知られている任意の方法でプログラムできる、他のタイプの集積回路（例えば、構造化された／プラットフォームＡＳＩＣ、フィールドプログラム可能ゲートアレイ（ＦＰＧＡ）、および、他のセミカスタムＩＣ）を使用してもよい。各ユニットの機能も、１つ以上の一般的または特定用途向けのプロセッサによって実行されるようにフォーマットされている、メモリ中で具現化される命令により、全体的または部分的に実現してもよい。着目したモジュールの各々は、デバイス１３５−ａの動作に関連する１つ以上の機能を実行する手段であってもよい。
【００４２】
［００５３］
図４は、ＤＳＲＣスペクトルの少なくとも一部を使用するか否かを決定するためにＤＳＲＣ送信を検出することができるデバイス１３５−ｂの例を図示する、ブロックダイヤグラム４００である。デバイス１３５−ｂは、図１および／または３を参照して記述したマルチモードデバイス１３５の１つ以上の態様の例である。デバイス１３５−ｂは、受信機モジュール４０５、ＤＳＲＣスペクトル管理モジュール３０５−ａ、および／または送信機モジュール４２５を備えている。これらのコンポーネントの各々は互いに通信することができる。
【００４３】
［００５４］
ハードウェア中の適用可能な機能のいくつかまたはすべてを実行するように適合されている１つ以上の特定用途向け集積回路（ＡＳＩＣ）により、デバイス１３５−ｂのコンポーネントを個々または共同で実現してもよい。代替的に、１つ以上の集積回路上で、１つ以上の他の処理ユニット（またはコア）によって機能を実行してもよい。他の実施形態において、技術的に知られている任意の方法でプログラムできる、他のタイプの集積回路（例えば、構造化された／プラットフォームＡＳＩＣ、フィールドプログラム可能ゲートアレイ（ＦＰＧＡ）、および、他のセミカスタムＩＣ）を使用してもよい。各ユニットの機能も、１つ以上の一般的または特定用途向けのプロセッサによって実行されるようにフォーマットされている、メモリ中で具現化される命令により、全体的または部分的に実現してもよい。
【００４４】
［００５５］
受信機モジュール４０５は、Ｗｉ−Ｆｉ受信機を備えていてもよく、さまざまなＷｉ−Ｆｉ信号を受信するかもしれない。受信機モジュール４０５はまた、セルラ受信機を備えていてもよく、いくつかのケースでは、ＬＴＥ／ＬＴＥ−Ａ受信機を備えているかもしれない。受信機モジュール４０５を使用して、図１を参照して記述したワイヤレス通信システム１００のようなワイヤレス通信システムを通して、さまざまなタイプのデータおよび／または制御信号を受信することができる。受信機モジュール４０５はさらに、ＤＳＲＣスペクトルの少なくとも一部を使用して、データおよび／または制御信号を受信するように構成されていてもよい。
【００４５】
［００５６］
送信機モジュール４２５はまた、Ｗｉ−Ｆｉ送信機を備えていてもよい。Ｗｉ−Ｆｉ送信機は、Ｗｉ−Ｆｉ接続を通して信号を送信することができる。送信機モジュール４２５はまた、セルラ送信機を備えていてもよく、いくつかのケースでは、ＬＴＥ／ＬＴＥ−Ａ送信機を備えているかもしれない。送信機モジュール４２５を使用して、ワイヤレス通信システム１００のようなワイヤレス通信システムを通して、さまざまなタイプのデータおよび／または制御信号を送信することができる。送信機モジュール４２５はさらに、ＤＳＲＣスペクトルの少なくとも一部を使用してデータおよび／または制御信号を送信するように構成されていてもよい。
【００４６】
［００５７］
いくつかの実施形態において、受信機モジュール４０５と送信機モジュール４２５は、図３を参照して記述したトランシーバモジュール３３０の１つ以上のもののサブモジュールである。
【００４７】
［００５８］
ＤＳＲＣスペクトル管理モジュール３０５−ａは、図３を参照して記述したＤＳＲＣスペクトル管理モジュール３０５の１つ以上の態様の例である。いくつかの実施形態において、モジュール３０５−ａは、スイッチングモジュール４１０、アクティビティレベル決定モジュール４１５、および／またはＤＳＲＣスペクトルアクセスモジュール４２０を備えている。スイッチングモジュール４１０を使用して、第１のクロックレートと第２のクロックレートとの間でデバイス１３５−ｂの動作をスイッチさせることができる。いくつかの実施形態において、第１のクロックレートは、２０、４０、８０、または１６０ＭＨｚＷｉ−Ｆｉクロックレートであり、第２のクロックレートは、１０ＭＨｚＤＳＲＣクロックレートである。したがって、２０ＭＨｚのベースＷｉ−Ｆｉクロックレートでデバイス１３５−ｂが動作しているシナリオでは、第２のクロックレートは第１のクロックレートの半分であるだろう。
【００４８】
［００５９］
初めに、デバイス１３５−ｂは、ＤＳＲＣスペクトルの外側で、第１のクロックレートで動作されているかもしれない。デバイス１３５−ｂはその後、ある条件の下で一時的に第２のクロックレートにスイッチされるかもしれない。例えば、いくつかのケースにおいて、および例として、デバイス１３５−ｂは、ＤＳＲＣスペクトルを使用する必要性を有しているときに、第２のクロックレートにスイッチされる。他のケースでは、およびさらなる例として、デバイス１３５−ｂは、ＤＳＲＣスペクトル中の動作を始めた後に第２のクロックレートにスイッチされて、ＤＳＲＣ送信を検出し、確実に、デバイスによるＤＳＲＣスペクトルの使用が、ＤＳＲＣデバイスによるＤＳＲＣスペクトルの使用と競合していないようにする。いくつかの実施形態において、デバイス１３５−ｂは、予め定められた時間期間に対して、第２のクロックレートで動作するようにスイッチされる。予め定められた時間期間の満了の際に、デバイス１３５は第１のクロックレートに戻るようにスイッチされるかもしれない。
【００４９】
［００６０］
アクティビティレベル決定モジュール４１５を使用して、ＤＳＲＣ送信を検出し、検出したＤＳＲＣ送信のアクティビティレベルがしきい値を超えるか否かを決定することができる。
【００５０】
［００６１］
ＤＳＲＣスペクトルアクセスモジュール４２０は、デバイス１３５−ｂがＤＳＲＣスペクトルの少なくとも一部を使用することができるか否かを決定し、ＤＳＲＣスペクトルへのアクセスを提供することができる。検出したＤＳＲＣ送信のアクティビティレベルがしきい値を超えないことを決定した際に、モジュール４２０は、１）第１のクロックレートに戻るようにデバイス１３５−ｂをスイッチさせることをスイッチングモジュール４１０に命令し、２）デバイス１３５−ｂがＤＳＲＣスペクトルの少なくとも一部中で動作できるようにすることができる。しかしながら、検出したＤＳＲＣ送信のアクティビティレベルがしきい値を超えることを決定した際には、モジュール４２０は、１）第１のクロックレートに戻るようにデバイス１３５−ｂをスイッチさせることをスイッチングモジュール４１０に命令し、２）確実に、デバイス１３５−ｂがＤＳＲＣスペクトルの外側で動作を継続するようにする（例えば、ＤＳＲＣスペクトルへのアクセスを防ぐ）ことができる。
【００５１】
［００６２］
図５は、ＤＳＲＣスペクトルの少なくとも一部を使用するか否かを決定することができるデバイス１３５−ｃの例を図示する、ブロックダイヤグラム５００である。デバイス１３５−ｃは、図１、３、および／または４を参照して記述したマルチモードデバイス１３５の１つ以上の態様の例である。デバイス１３５−ｃは、受信機モジュール４０５、ＤＳＲＣスペクトル管理モジュール３０５−ｂ、および／または送信機モジュール４２５を備えている。これらのコンポーネントの各々は互いに通信することができる。
【００５２】
［００６３］
ハードウェア中の適用可能な機能のいくつかまたはすべてを実行するように適合されている１つ以上の特定用途向け集積回路（ＡＳＩＣ）により、デバイス１３５−ｃのコンポーネントを個々または共同で実現してもよい。代替的に、１つ以上の集積回路上で、１つ以上の他の処理ユニット（またはコア）によって機能を実行してもよい。他の実施形態において、技術的に知られている任意の方法でプログラムできる、他のタイプの集積回路（例えば、構造化された／プラットフォームＡＳＩＣ、フィールドプログラム可能ゲートアレイ（ＦＰＧＡ）、および、他のセミカスタムＩＣ）を使用してもよい。各ユニットの機能も、１つ以上の一般的または特定用途向けのプロセッサによって実行されるようにフォーマットされている、メモリ中で具現化される命令により、全体的または部分的に実現してもよい。
【００５３】
［００６４］
１つの実施形態において、受信機モジュール４０５と送信機モジュール４２５は、図４を参照して先に記述したように動作するように構成されている。ＤＳＲＣスペクトル管理モジュール３０５−ｂは、スイッチングモジュール４１０、アクティビティレベル決定モジュール４１５−ａ、および／またはＤＳＲＣスペクトルアクセスモジュール４２０を備えている。これらのコンポーネントの各々は、図４を参照して記述したそれぞれのスイッチングモジュール４１０、アクティビティレベル決定モジュール４１５、およびＤＳＲＣスペクトルアクセスモジュール４２０の１つ以上の態様の例である。
【００５４】
［００６５］
アクティビティレベル決定モジュール４１５−ａは、周波数帯域識別サブモジュール５０５、周波数帯域選択サブモジュール５１０、および／または報告サブモジュール５１５を備えている。周波数帯域識別サブモジュール５０５を使用して、デバイス１３５−ｃが第２のクロックレートで動作する間に、ＤＳＲＣスペクトル内の１つ以上の周波数帯域を識別および／または監視することができる。
【００５５】
［００６６］
周波数帯域選択サブモジュール５１０を使用して、サブモジュール５０５によって監視した周波数帯域のうちから周波数帯域を選択することができ、そのため、アクティビティレベル決定モジュール４１５−ａが、監視した周波数帯域上の任意の送信のアクティビティレベルを決定することができる。
【００５６】
［００６７］
報告サブモジュール５１５を使用して、図１を参照して記述したアクセスポイント１２５のうちの１つのようなアクセスポイントに対して、１つ以上の検出したＤＳＲＣ送信の発生を報告することができる。
【００５７】
［００６８］
いくつかのケースにおいて、ＤＳＲＣスペクトルアクセスモジュール４２０それ自体が、デバイス１３５−ｃがＤＳＲＣスペクトルの少なくとも一部を使用できるか否かを決定し、ＤＳＲＣスペクトルへのアクセスを提供する。他のケースでは、ＤＳＲＣスペクトルアクセスモジュール４２０は、１つ以上の検出したＤＳＲＣ送信の発生の報告を送ったアクセスポイント１２５から命令を受信する。命令は、報告したＤＳＲＣ送信の発生に少なくとも部分的に基づいているかもしれず、ＤＳＲＣスペクトルの少なくとも一部がアクセスできるか否かを、ＤＳＲＣスペクトルアクセスモジュール４２０に示すかもしれない。ＤＳＲＣスペクトルの少なくとも一部がアクセスできることを命令が示すときに、ＤＳＲＣスペクトルアクセスモジュール４２０は、デバイス１３５−ｃがＤＳＲＣスペクトルの少なくとも一部中で動作できるようにする通信チャネルを確立することができる。
【００５８】
［００６９］
図６は、マルチモードデバイス１３５−ｄによるＤＳＲＣスペクトルの使用を管理できるように構成されている通信システム６００のブロックダイヤグラムを示している。このシステム６００は、図１において描いたシステム１００、および／または、図１のアクセスポイント１２５、の態様の例である。システム６００はアクセスポイント１２５−ａを備えている。アクセスポイント１２５−ａは、アンテナ６４５と、トランシーバモジュール６５０と、メモリ６８０と、プロセッサモジュール６７０とを備えており、これらは各々、（例えば、１つ以上のバスを通して）互いに、直接または間接に通信することができる。トランシーバモジュール６５０は、アンテナ６４５を介して双方向に、マルチモードデバイス１３５−ｄと通信するように構成されている。マルチモードデバイス１３５−ｄは、図１、３、４、および／または５を参照して記述したデバイス１３５の例である。トランシーバモジュール６５０（および／または、アクセスポイント１２５−ａの他のコンポーネント）はまた、１つ以上のネットワーク６３０と双方向に通信するように構成されている。いくつかのケースにおいて、アクセスポイント１２５−ａは、ネットワーク通信モジュール６７５を通してコアネットワーク６３０と通信する。アクセスポイント１２５−ａは、Ｗｉ−Ｆｉアクセスポイント、ｅノードＢ基地局、ホームｅノードＢ基地局、ノードＢ基地局、および／または、ホームノードＢ基地局の例であってもよい。
【００５９】
［００７０］
アクセスポイント１２５−ａは、アクセスポイント１２５−ｍおよびアクセスポイント１２５−ｎのような、他のアクセスポイント１２５とも通信することができる。アクセスポイント１２５の各々は、異なる無線アクセス技術のような異なるワイヤレス通信技術を使用して、マルチモードデバイス１３５−ｄと通信することができる。いくつかのケースにおいて、アクセスポイント１２５−ａは、アクセスポイント通信モジュール６６５を利用して、１２５−ｍおよび／または１２５−ｎのような他のアクセスポイントと通信する。いくつかの実施形態において、アクセスポイント通信モジュール６６５は、ワイヤレス通信技術内のインターフェースを提供して、アクセスポイント１２５のいくつかの間での通信を提供する。いくつかの実施形態では、アクセスポイント１２５−ａは、コアネットワーク６３０を通して他のアクセスポイントと通信する。
【００６０】
［００７１］
メモリ６８０は、ランダムアクセスメモリ（ＲＡＭ）およびリードオンリーメモリ（ＲＯＭ）を備えていてもよい。実行されたときに、ここで記述するさまざまな機能（例えば、ＤＳＲＣスペクトル管理など）をプロセッサモジュール６７０に実行させるように構成されている命令を含む、コンピュータ読み取り可能なコンピュータ実行可能ソフトウェアコード６８５を、メモリ６８０はまた記憶することができる。代替的に、ソフトウェアコード６８５は、プロセッサモジュール６７０によって直接的に実行可能でなくてもよく、例えば、コンパイルされて実行されたときに、ここで記述する機能をコンピュータに実行させるように構成されていてもよい。
【００６１】
［００７２］
プロセッサモジュール６７０は、インテリジェントなハードウェアデバイスを、例えば、中央処理ユニット（ＣＰＵ）、マイクロ制御装置、特定用途向け集積回路（ＡＳＩＣ）などを備えていてもよい。トランシーバモジュール６５０は、パケットを変調し、変調したパケットを送信のためにアンテナ６４５に提供するようにと、アンテナ６４５から受信したパケットを復調するように構成されているモデムを備えていてもよい。
【００６２】
［００７３］
図６のアーキテクチャにしたがうと、アクセスポイント１２５−ａはさらに、通信管理モジュール６６０を備えている。通信管理モジュール６６０は、他のアクセスポイント１２５との通信を管理することができる。例として、通信管理モジュール６６０は、アクセスポイント１２５−ａの他のコンポーネントのうちのいくつかまたはすべてとバスを介して通信する、アクセスポイント１２５−ａのコンポーネントであるかもしれない。代替的に、通信管理モジュール６６０の機能性を、トランシーバモジュール６５０のコンポーネントとして、コンピュータプログラムプロダクトとして、および／または、プロセッサモジュール６７０の１つ以上の制御装置エレメントとして実現してもよい。
【００６３】
［００７４］
１つの例において、アクセスポイント１２５−ａは、ＤＳＲＣスペクトル管理モジュール３０５−ｃを備えている。例として、ＤＳＲＣスペクトル管理モジュール３０５−ｃは、アクセスポイント１２５−ａの他のコンポーネントのうちのいくつかまたはすべてとバスを介して通信する、アクセスポイント１２５−ａのコンポーネントであるかもしれない。代替的に、ＤＳＲＣスペクトル管理モジュール３０５−ｃの機能性を、コンピュータプログラムプロダクトとして、および／または、プロセッサモジュール６７０の１つ以上の制御装置エレメントとして実現してもよい。モジュール３０５−ｃは、アクティビティレベル解析モジュール６３５と命令モジュール６４０とを備えている。１つの実施形態において、アクセスポイント１２５−ａは、デバイス１３５−ｄおよび／または他のデバイスから１つ以上の報告を受信する。各報告は、１つ以上の検出したＤＳＲＣ送信の発生を表す。アクティビティレベル解析モジュール６３５は、報告を解析して、検出したＤＳＲＣ送信のアクティビティレベルがしきい値を超えるか否かを決定することができる。いくつかの実施形態では、ＤＳＲＣスペクトルの多数の周波数帯域の各々に対して解析を実行する。その後、アクティビティレベル解析モジュール６３５によって行われた解析に基づいて、命令モジュール６４０が、デバイス１３５−ｄに送信するための１つ以上の命令を構築することができる。ＤＳＲＣスペクトル中でデバイス１３５−ｄが動作できるか否か、および／または、ＤＳＲＣスペクトルのどの周波数帯域がデバイス１３５−ｄによって使用できるかを、命令は示すことができる。同一の報告に基づく命令を、他のデバイス１３５にも送信することができる。
【００６４】
［００７５］
いくつかの実施形態において、アンテナ６４５と結合しているトランシーバモジュール６５０は、アクセスポイント１２５−ａの他の可能性あるコンポーネントとともに、マルチモードデバイス１３５−ｄに命令を送信する。先述したように、ＤＳＲＣスペクトル中でデバイス１３５−ｄが動作できるか否かを命令は示すことができる。
【００６５】
［００７６］
図７は、マルチモードデバイス１３５−ｅとアクセスポイント１２５−ｂとの間の通信の１つの例を図示する、メッセージフローダイヤグラム７００である。マルチモードデバイス１３５−ｅは、図１、３、４、および／または５を参照して記述したマルチモードデバイス１３５の１つ以上の態様の例である。アクセスポイント１２５−ｂは、図１および／または６を参照して記述したアクセスポイント１２５の１つ以上の態様の例である。いくつかの実施形態では、アクセスポイント１２５−ｂの機能を、別のマルチモードデバイス１３５によって実行する。
【００６６】
［００７７］
ブロック７０５においてメッセージフローが開始し、マルチモードデバイス１３５−ｅが、第１のクロックレートを使用してＤＳＲＣスペクトルの外側で動作する。いくつかの実施形態において、第１のクロックレートは、２０、４０、８０、または１６０ＭＨｚＷｉ−Ｆｉクロックレートである。第１のクロックレートで動作する間、マルチモードデバイス１３５−ｅは、第１の通信チャネルを使用してアクセスポイント１２５−ｂと通信する７１０。
【００６７】
［００７８］
ブロック７１５において、ＤＳＲＣスペクトルの外側で動作している間に、マルチモードデバイス１３５−ｅは、第２のクロックレートにスイッチして、ＤＳＲＣスペクトルを使用するＤＳＲＣ送信を検出する。いくつかの実施形態において、第２のクロックレートは、１０ＭＨｚＤＳＲＣクロックレートである。いくつかのケースにおいて、および例として、ＤＳＲＣスペクトルを使用する必要性を有しているが、最初に、ＤＳＲＣスペクトルがＤＳＲＣデバイスによって使用されていないことを確実にする必要があるという理由で、マルチモードデバイス１３５−ｅは、第２のクロックレートにスイッチし、ＤＳＲＣ送信を検出しようと試行する。他のケースでは、およびさらなる例として、ＤＳＲＣスペクトルを既に使用しており、それによるＤＳＲＣスペクトルの使用が、ＤＳＲＣデバイスによるＤＳＲＣスペクトルの使用と競合していないことを確実にすべきであるという理由で、マルチモードデバイス１３５−ｅは、第２のクロックレートにスイッチし、ＤＳＲＣ送信を検出しようと試行する（このようなケースでは、マルチモードデバイス１３５−ｅは、ＤＳＲＣスペクトルの使用を中止すべきである）。
【００６８】
［００７９］
マルチモードデバイス１３５−ｅは、１つ以上の検出したＤＳＲＣ送信の発生を、多数の（すなわち、１つ以上の）メッセージ７２０中で、アクセスポイント１２５−ｂに報告する。マルチモードデバイス１３５−ｅはその後、アクセスポイント１２５−ｂから少なくとも１つの命令７２５を受信する。少なくとも１つの命令７２５は、報告した検出ＤＳＲＣ送信の発生に少なくとも部分的に基づいているかもしれない。
【００６９】
［００８０］
アクセスポイント１２５−ｂから受信した少なくとも１つの命令７２５に少なくとも部分的に基づいて、マルチモードデバイス１３５−ｅは、ＤＳＲＣスペクトルの少なくとも一部中で動作できることを決定することができる。マルチモードデバイス１３５−ｅはその後、ブロック７３０において、第１のクロックレートにスイッチバックし、ブロック７３５において、アクセスポイント１２５−ｂとの第２の通信チャネルを確立する。マルチモードデバイス１３５−ｅはその後、第１の通信チャネル７１０および／または第２の通信チャネル７４０を通して、アクセスポイント１２５−ｂと通信する。第２の通信チャネルの帯域幅は、ＤＳＲＣスペクトルの少なくとも一部を含んでいる。第２の通信チャネルの帯域幅は、ＤＳＲＣスペクトルの外側のスペクトルの一部も含んでいてもよい。
【００７０】
［００８１］
図８は、５ＧＨｚスペクトル８００におけるさまざまなスペクトル割り振りと、マルチモードデバイス１３５によるＤＳＲＣスペクトルの使用との、例示的なビューを示している。先述したように、スペクトル８００は、スペクトル８００に沿った周波数帯域の異なる割り振りを含んでいる。１つのコンフィギュレーションにおいて、各周波数帯域割り振りは、ある数の周波数チャネルを使用する。各チャネルは、ある量の帯域幅を占有する。図示しているように、Ｕ−ＮＩＩ  １周波数帯域２０５は、４個までの２０ＭＨｚチャネル２３０を、２個の４０ＭＨｚチャネル２３５を、または、１個の８０ＭＨｚチャネル２４０をサポートすることができる。同様に、Ｕ−ＮＩＩ  ２周波数帯域２１０は、４個までの２０ＭＨｚチャネル２３０を、２個の４０ＭＨｚチャネル２３５を、または、１個の８０ＭＨｚチャネル２４０をサポートすることができる。先述したように、Ｕ−ＮＩＩ  １周波数帯域２０５とＵ−ＮＩＩ  ２周波数帯域２１０のどちらも、１６０ＭＨｚチャネル８０５−ａ−１を個々にはサポートすることができない。しかしながら、マルチモードデバイス１３５は帯域２０５と帯域２１０との両方に渡って動作することができるので、両方の周波数帯域に渡る１６０ＭＨｚチャネルを、デバイスは事実上使用することができる。
【００７１】
［００８２］
さらに図示されているように、Ｕ−ＮＩＩ  ＷＷ帯域２１５は、１６０ＭＨｚチャネル８０５−ａ−２をサポートすることができる。Ｕ−ＮＩＩ  ３周波数帯域２２０とＤＳＲＣ周波数帯域２２５とに対する帯域に渡って、１６０ＭＨｚチャネル８０５−ａ−３もサポートすることができる。１つの実施形態において、ＤＳＲＣスペクトルの使用が許容されているエリアに位置していることをマルチモードデバイス１３５が決定するときに、マルチモードデバイス１３５は、ＤＳＲＣスペクトル２２５の少なくとも一部を使用することができる。結果として、Ｕ−ＮＩＩ  １  ２０５帯域とＵ−ＮＩＩ  ２  ２１０帯域とに渡る１６０ＭＨｚチャネル８０５−ａ−１と、Ｕ−ＮＩＩ  ＷＷ帯域２１５中の１６０ＭＨｚチャネル８０５−ａ−２とともに、Ｕ−ＮＩＩ  ３スペクトル２２０とＤＳＲＣスペクトル２２５とに渡る１６０ＭＨｚチャネル８０５−ａ−３上でデバイス１３５が動作するので、デバイス１３５の送信に対する帯域幅を増加させることができる。マルチモードデバイス１３５の送信に対する帯域幅におけるこの増加は、増加されたデータレートを可能にし、これにより、より高いスループットが可能になる。
【００７２】
［００８３］
図９は、ＤＳＲＣスペクトルの少なくとも一部を使用するか否かを決定するためにＤＳＲＣ送信を検出する方法９００の、１つの実施形態を図示するフローチャートである。明確にするために、図１、３、４、および／または５を参照して記述したマルチモードデバイス１３５の１つ以上の態様を参照して、方法９００を以下で記述する。１つのインプリメンテーションでは、図３、４、および／または５を参照して記述したＤＳＲＣスペクトル管理モジュール３０５が、マルチモードデバイス１３５の機能エレメントを制御するための１つ以上の組のコードを実行して、以下で記述する機能を実行する。
【００７３】
［００８４］
ブロック９０５において、第１のクロックレートを使用して、ＤＳＲＣスペクトルの外側でマルチモードデバイス１３５を動作させる。例として、Ｗｉ−Ｆｉスペクトルのような、ＤＳＲＣスペクトルに隣接するスペクトル中でマルチモードデバイス１３５を動作させることによって、ＤＳＲＣスペクトルの外側のスペクトル中でマルチモードデバイス１３５を動作させる。いくつかの実施形態において、第１のクロックレートは、２０、４０、８０、または１６０ＭＨｚＷｉ−Ｆｉクロックレートである。いくつかの実施形態では、図３、４、および／または５を参照して記述したＤＳＲＣスペクトル管理モジュール３０５を使用して、ＤＳＲＣスペクトルの外側でマルチモードデバイス１３５を動作させる。
【００７４】
［００８５］
ブロック９１０において、ＤＳＲＣスペクトルの外側で動作している間に、マルチモードデバイス１３５を第２のクロックレートにスイッチさせる。マルチモードデバイス１３５は、第２のクロックレートにスイッチされ、ＤＳＲＣスペクトルを使用するＤＳＲＣ送信を検出する。いくつかの実施形態において、第２のクロックレートは、１０ＭＨｚＤＳＲＣクロックレート（すなわち、第１のクロックレートがＷｉ−Ｆｉベースクロックレートの２０ＭＨｚであるときの、第１のクロックレートの半分）である。
【００７５】
［００８６］
いくつかのケースにおいて、および例として、ＤＳＲＣスペクトルを使用する必要性を有しているが、最初に、ＤＳＲＣスペクトルがＤＳＲＣデバイスによって使用されていないことを確実にする必要があるという理由で、マルチモードデバイス１３５は、第２のクロックレートにスイッチし、ＤＳＲＣ送信を検出しようと試行する。他のケースでは、およびさらなる例として、ＤＳＲＣスペクトルを既に使用しており、それによるＤＳＲＣスペクトルの使用が、ＤＳＲＣデバイスによるＤＳＲＣスペクトルの使用と競合していないことを確実にすべきであるという理由で、マルチモードデバイス１３５は、第２のクロックレートにスイッチし、ＤＳＲＣ送信を検出しようと試行する（このようなケースでは、マルチモードデバイス１３５は、ＤＳＲＣスペクトルの使用を中止すべきである）。
【００７６】
［００８７］
いくつかの実施形態では、図４および／または５を参照して記述したスイッチングモジュール４１０を使用して、ブロック９１０における動作を実行する。
【００７７】
［００８８］
いくつかのケースにおいて、マルチモードデバイス１３５は、予め定められた時間期間に対して、第２のクロックレートで動作する。予め定められた時間期間の満了の際に、マルチモードデバイスは第１のクロックレートにスイッチバックするかもしれない。その後、方法９００が繰り返されるかもしれない。
【００７８】
［００８９］
したがって、ＤＳＲＣスペクトルの少なくとも一部を使用するか否かを決定するためにＤＳＲＣ送信を検出するのに、方法９００を使用することができる。方法９００はまさしく１つのインプリメンテーションであり、他のインプリメンテーションが可能であるように方法９００の動作を並べ替え、または、そうでなければ修正してもよいことに着目すべきである。
【００７９】
［００９０］
図１０は、ＤＳＲＣスペクトルの少なくとも一部を使用するか否かを決定するためにＤＳＲＣ送信を検出する方法１０００の、別の実施形態を図示するフローチャートである。明確にするために、図１、３、４、および／または５を参照して記述したマルチモードデバイス１３５の１つ以上の態様を参照して、方法１０００を以下で記述する。１つのインプリメンテーションでは、図３、４、および／または５を参照して記述したＤＳＲＣスペクトル管理モジュール３０５が、マルチモードデバイス１３５の機能エレメントを制御するための１つ以上の組のコードを実行して、以下で記述する機能を実行する。
【００８０】
［００９１］
ブロック１００５において、第１のクロックレートを使用して、ＤＳＲＣスペクトルの外側でマルチモードデバイス１３５を動作させる。例として、Ｗｉ−Ｆｉスペクトルのような、ＤＳＲＣスペクトルに隣接するスペクトル中でマルチモードデバイス１３５を動作させることによって、ＤＳＲＣスペクトルの外側のスペクトル中でマルチモードデバイス１３５を動作させる。いくつかの実施形態において、第１のクロックレートは、２０、４０、８０、または１６０ＭＨｚＷｉ−Ｆｉクロックレートである。いくつかの実施形態では、図３、４、および／または５を参照して記述したＤＳＲＣスペクトル管理モジュール３０５を使用して、ＤＳＲＣスペクトルの外側でマルチモードデバイス１３５を動作させる。
【００８１】
［００９２］
ブロック１０１０において、ＤＳＲＣスペクトルの外側で動作している間に、マルチモードデバイス１３５を第２のクロックレートにスイッチさせる。マルチモードデバイス１３５は、第２のクロックレートにスイッチされて、ＤＳＲＣスペクトルを使用するＤＳＲＣ送信を検出する。いくつかの実施形態において、第２のクロックレートは、１０ＭＨｚＤＳＲＣクロックレート（すなわち、第１のクロックレートがＷｉ−Ｆｉベースクロックレートの２０ＭＨｚであるときの、第１のクロックレートの半分）である。
【００８２】
［００９３］
いくつかのケースにおいて、および例として、ＤＳＲＣスペクトルを使用する必要性を有しているが、最初に、ＤＳＲＣスペクトルがＤＳＲＣデバイスによって使用されていないことを確実にする必要があるという理由で、マルチモードデバイス１３５は、第２のクロックレートにスイッチし、ＤＳＲＣ送信を検出しようと試行する。他のケースでは、およびさらなる例として、ＤＳＲＣスペクトルを既に使用しており、それによるＤＳＲＣスペクトルの使用が、ＤＳＲＣデバイスによるＤＳＲＣスペクトルの使用と競合していないことを確実にすべきであるという理由で、マルチモードデバイス１３５は、第２のクロックレートにスイッチし、ＤＳＲＣ送信を検出しようと試行する（このようなケースでは、マルチモードデバイス１３５は、ＤＳＲＣスペクトルの使用を中止すべきである）。
【００８３】
［００９４］
いくつかの実施形態では、図４および／または５を参照して記述したスイッチングモジュール４１０を使用して、ブロック１０１０における動作を実行する。
【００８４】
［００９５］
ブロック１０１５において、検出したＤＳＲＣ送信のアクティビティレベルを決定し、ブロック１０２０において、検出したＤＳＲＣ送信のアクティビティレベルがしきい値を超えるか否かを決定する。いくつかの実施形態において、しきい値と比較するときに、検出したＤＳＲＣ送信を使用する。いくつかの実施形態では、図４を参照して記述したアクティビティレベル決定モジュール４１５を使用して、ブロック１０１５および１０２０における動作を実行する。
【００８５】
［００９６］
検出したＤＳＲＣ送信のアクティビティレベルが、または、検出したＤＳＲＣ送信が、しきい値を超えないことを決定した際に、マルチモードデバイス１３５は、ブロック１０２５において、第１のクロックレートにスイッチバックし、ブロック１０３０において、ＤＳＲＣスペクトルの少なくとも一部中で動作を開始する。いくつかのケースにおいて、マルチモードデバイス１３５は、第１のクロックレートで、ＤＳＲＣスペクトルの少なくとも一部中で動作する。他のケースでは、マルチモードデバイス１３５は、第１のクロックレート以外のクロックレートで、ＤＳＲＣスペクトルの少なくとも一部中で動作する。いくつかの実施形態では、スイッチングモジュール４１０を使用して、ブロック１０２５における動作を実行することができ、ＤＳＲＣスペクトルアクセスモジュール４２０を使用して、ブロック１０３０における動作を実行することができる。
【００８６】
［００９７］
いくつかのケースにおいて、ＤＳＲＣスペクトルの少なくとも一部中で動作することは、ＤＳＲＣスペクトルの少なくとも一部を含む帯域幅を有する通信チャネルを確立することを含んでいる。新たに確立した通信チャネルの帯域幅は、ＤＳＲＣスペクトルの外側にある周波数スペクトルの一部も含んでいてもよい。アクセスポイント１２５または別のマルチモードデバイスと、新たに確立した通信チャネルを使用して通信する間、いくつかのケースでは、マルチモードデバイス１３５は、ＤＳＲＣスペクトルの完全に外側にある帯域幅を有する通信チャネルを通しても通信することができる。（例えば、ＤＳＲＣスペクトルにおけるアクティビティレベルが上昇し、ＤＳＲＣスペクトルの使用をＤＳＲＣデバイスに譲るべきであることをマルチモードデバイス１３５が決定するケースにおいて、）ＤＳＲＣスペクトルの外側のこのような通信チャネルを維持することによって、マルチモードデバイス１３５は、ＤＳＲＣスペクトルの少なくとも一部を使用する通信チャネルの使用をより容易に終わらせることができる。
【００８７】
［００９８］
ブロック１０３５において、検出したＤＳＲＣ送信のアクティビティレベルがしきい値を超えることを決定した際に、マルチモードデバイス１３５は、第１のクロックレートにスイッチバックし、ブロック１０４０において、ＤＳＲＣスペクトルの外側で動作を継続する。いくつかのケースにおいて、マルチモードデバイス１３５は、予め定められた時間に対して、ＤＳＲＣスペクトルの外側で動作を継続する。予め定められた時間の満了の後に、マルチモードデバイス１３５は、ブロック１０１０において開始する方法１０００を繰り返すかもしれない。いくつかの実施形態では、図４を参照して記述したスイッチングモジュール４１０を使用して、ブロック１０３５における動作を実行する。
【００８８】
［００９９］
したがって、ＤＳＲＣスペクトルの少なくとも一部を使用するか否かを決定するためにＤＳＲＣ送信を検出するのに、方法１０００を使用することができる。方法１０００はまさしく１つのインプリメンテーションであり、他のインプリメンテーションが可能であるように方法１０００の動作を並べ替え、または、そうでなければ修正してもよいことに着目すべきである。
【００８９】
［０１００］
図１１は、ＤＳＲＣスペクトルの少なくとも一部を使用するか否かを決定するためにＤＳＲＣ送信を検出する方法１１００の、さらに別の実施形態を図示するフローチャートである。明確にするために、図１、３、４、および／または５を参照して記述したマルチモードデバイス１３５の１つ以上の態様を参照して、方法１１００を以下で記述する。１つのインプリメンテーションでは、図３、４、および／または５を参照して記述したＤＳＲＣスペクトル管理モジュール３０５が、マルチモードデバイス１３５の機能エレメントを制御するための１つ以上の組のコードを実行して、以下で記述する機能を実行する。
【００９０】
［０１０１］
ブロック１１０５において、第１のクロックレートを使用して、ＤＳＲＣスペクトルの外側でマルチモードデバイス１３５を動作させる。例として、Ｗｉ−Ｆｉスペクトルのような、ＤＳＲＣスペクトルに隣接するスペクトル中でマルチモードデバイス１３５を動作させることによって、ＤＳＲＣスペクトルの外側のスペクトル中でマルチモードデバイス１３５を動作させる。いくつかの実施形態において、第１のクロックレートは、２０、４０、８０、または１６０ＭＨｚＷｉ−Ｆｉクロックレートである。いくつかの実施形態では、図３、４、および／または５を参照して記述したＤＳＲＣスペクトル管理モジュール３０５を使用して、ＤＳＲＣスペクトルの外側でマルチモードデバイス１３５を動作させる。
【００９１】
［０１０２］
ブロック１１１０において、ＤＳＲＣスペクトルの外側で動作している間に、マルチモードデバイス１３５を第２のクロックレートにスイッチさせる。マルチモードデバイス１３５は、第２のクロックレートにスイッチされて、ＤＳＲＣスペクトルを使用するＤＳＲＣ送信を検出する。いくつかの実施形態において、第２のクロックレートは、１０ＭＨｚＤＳＲＣクロックレート（すなわち、第１のクロックレートがＷｉ−Ｆｉベースクロックレートの２０ＭＨｚであるときの、第１のクロックレートの半分）である。
【００９２】
［０１０３］
いくつかのケースにおいて、および例として、ＤＳＲＣスペクトルを使用する必要性を有しているが、最初に、ＤＳＲＣスペクトルがＤＳＲＣデバイスによって使用されていないことを確実にする必要があるという理由で、マルチモードデバイス１３５は、第２のクロックレートにスイッチし、ＤＳＲＣ送信を検出しようと試行する。他のケースでは、およびさらなる例として、ＤＳＲＣスペクトルを既に使用しており、それによるＤＳＲＣスペクトルの使用が、ＤＳＲＣデバイスによるＤＳＲＣスペクトルの使用と競合していないことを確実にすべきであるという理由で、マルチモードデバイス１３５は、第２のクロックレートにスイッチし、ＤＳＲＣ送信を検出しようと試行する（このようなケースでは、マルチモードデバイス１３５は、ＤＳＲＣスペクトルの使用を中止すべきである）。
【００９３】
［０１０４］
いくつかの実施形態では、図４および／または５を参照して記述したスイッチングモジュール４１０によって、ブロック１１１０における動作を実行する。
【００９４】
［０１０５］
ブロック１１１５において、第２のクロックレートで動作している間に、ＤＳＲＣスペクトル内の複数の周波数帯域のうちの少なくとも１つを監視する。いくつかの実施形態では、図５を参照して記述した周波数帯域監視サブモジュール５０５を使用して、ブロック１１１５における動作を実行する。
【００９５】
［０１０６］
ブロック１１２０において、監視した周波数帯域が、ＤＳＲＣスペクトル中のセーフティ関連送信に対して割り振られているか否かを決定する。割り振られている場合は、マルチモードデバイス１３５によって使用するための候補としてこの周波数帯域を避け、ブロック１１２５において、もしあれば、追加の周波数帯域を識別する。追加の周波数帯域を識別した場合は、方法１１００のフローはブロック１１１５に戻る。しかしながら、ＤＳＲＣスペクトル中のすべての周波数帯域を処理した場合は、方法１１００のフローはブロック１１３５へと継続する。
【００９６】
［０１０７］
ブロック１１３０において、監視した周波数帯域における、送信のアクティビティレベルを決定する。その後、方法１１００のフローはブロック１１２５へ継続し、ブロック１１２５において、ＤＳＲＣスペクトル中の追加の周波数帯域を、そのアクティビティレベルを決定する目的のために監視する必要があるか否かを決定する。
【００９７】
［０１０８］
ＤＳＲＣスペクトル中の周波数帯域のすべてを、それらのアクティビティレベルを決定する目的のために監視したことを決定した後に、方法１１００のフローはブロック１１３５へ継続する。ブロック１１３５において、ＤＳＲＣスペクトルの、少なくとも１つの選択した周波数帯域におけるアクティビティレベルが、しきい値未満であるか否かを決定する。いくつかのケースでは、しきい値と比較するときに、少なくとも１つの検出したＤＳＲＣ送信を使用する。いくつかの実施形態では、図５を参照して記述した周波数帯域アクティビティレベル決定サブモジュール５１０を使用して、ブロック１１２０、１１２５、および１１３５における動作を実行する。
【００９８】
［０１０９］
ＤＳＲＣスペクトルの、少なくとも１つの選択した周波数帯域におけるアクティビティレベルが、または、少なくとも１つの検出したＤＳＲＣ送信が、しきい値未満であることを決定した際に、ブロック１１４０において、マルチモードデバイス１３５は第１のクロックレートにスイッチバックし、ブロック１１４５において、マルチモードデバイス１３５は、少なくとも１つの選択した周波数帯域を使用して、ＤＳＲＣスペクトル中で動作を開始する。いくつかのケースにおいて、第１のクロックレートにおいて、ＤＳＲＣスペクトル中でマルチモードデバイス１３５を動作させる。他のケースでは、第１のクロックレート以外のクロックレートにおいて、ＤＳＲＣスペクトル中でマルチモードデバイス１３５を動作させる。いくつかの実施形態では、スイッチングモジュール４１０を使用して、ブロック１１４０における動作を実行することができ、ＤＳＲＣスペクトルアクセスモジュール４２０を使用して、ブロック１１４５における動作を実行することができる。
【００９９】
［０１１０］
いくつかのケースにおいて、ＤＳＲＣスペクトルの少なくとも一部中で動作することは、ＤＳＲＣスペクトルの、少なくとも選択した周波数帯域を含む帯域幅を有する、通信チャネルを確立することを含んでいる。新たに確立した通信チャネルの帯域幅は、ＤＳＲＣスペクトルの外側にある周波数スペクトルの一部も含んでいてもよい。アクセスポイント１２５または別のマルチモードデバイスと、新たに確立した通信チャネルを使用して通信する間、いくつかのケースでは、マルチモードデバイス１３５は、ＤＳＲＣスペクトルの完全に外側にある帯域幅を有する通信チャネルを通しても通信することができる。（例えば、ＤＳＲＣスペクトルにおけるアクティビティレベルが上昇し、ＤＳＲＣスペクトルの使用をＤＳＲＣデバイスに譲るべきであることをマルチモードデバイス１３５が決定するケースにおいて、）ＤＳＲＣスペクトルの外側のこのような通信チャネルを維持することによって、マルチモードデバイス１３５は、ＤＳＲＣスペクトルの選択した周波数帯域を使用する通信チャネルの使用をより容易に終わらせることができる。
【０１００】
［０１１１］
ＤＳＲＣスペクトルのすべての周波数帯域におけるアクティビティレベルが、しきい値を上回ることをブロック１１３５において決定した際は、マルチモードデバイス１３５は、ブロック１１５０において、第１のクロックレートにスイッチバックし、ブロック１１５５において、ＤＳＲＣスペクトルの外側で動作を継続する。いくつかのケースにおいて、マルチモードデバイス１３５は、予め定められた時間に対して、ＤＳＲＣスペクトルの外側で動作を継続する。予め定められた時間の満了の後に、マルチモードデバイス１３５は、ブロック１１１０において開始する方法１１００を繰り返すかもしれない。いくつかの実施形態では、図４および／または５を参照して記述したスイッチングモジュール４１０を使用して、ブロック１１５０における動作を実行する。
【０１０１】
［０１１２］
したがって、ＤＳＲＣスペクトルの少なくとも一部を使用するか否かを決定するためにＤＳＲＣ送信を検出するのに、方法１１００を使用することができる。方法１１００はまさしく１つのインプリメンテーションであり、他のインプリメンテーションが可能であるように方法１１００の動作を並べ替え、または、そうでなければ修正してもよいことに着目すべきである。
【０１０２】
［０１１３］
添付の図面に関連して上記で明らかにした詳細な説明は、例示的な実施形態を記述しており、実現することができる、または、特許請求の範囲内である、唯一の実施形態を表しているのではない。本説明全体を通して使用している用語“例示的な”は、“例、インスタンス、またはイラストレーションとして担当する”を意味しており、“好ましい”または“他の実施形態より有利な”を意味しているのではない。詳細な説明は、記述される技術の理解を提供する目的のための特定の詳細を含んでいる。しかしながら、これらの技術を、これらの特定の詳細なしで実施してもよい。いくつかのインスタンスでは、記述される実施形態の概念を曖昧にすることを避けるために、よく知られている構造およびデバイスをブロックダイヤグラム形態で示している。
【０１０３】
［０１１４］
ここで記述する技術は、ＣＤＭＡ、ＴＤＭＡ、ＦＤＭＡ、ＯＦＤＭＡ、ＳＣ−ＦＤＭＡ、および他のシステムのような、さまざまなワイヤレス通信システムに対して使用してもよい。用語“システム”および“ネットワーク”は、交換可能に使用することが多い。ＣＤＭＡシステムは、ＣＤＭＡ２０００、ユニバーサル地上無線アクセス（ＵＴＲＡ）などのような、無線機技術を実現することができる。ＣＤＭＡは、ＩＳ−２０００標準規格、ＩＳ−９５標準規格、およびＩＳ−８５６標準規格をカバーしている。ＩＳ−２０００リリース０およびＡは一般的に、ＣＤＭＡ２０００  １Ｘ、１Ｘなどと呼ばれる。ＩＳ−８５６（ＴＩＡ−８５６）は一般的に、ＣＤＭＡ２０００  １ｘＥＶ−ＤＯ、高レートパケットデータ（ＨＲＰＤ）などと呼ばれる。ＵＴＲＡには、ワイドバンドＣＤＭＡ（ＷＣＤＭＡ（登録商標））、および、ＣＤＭＡの他の変形が含まれる。ＴＤＭＡシステムは、グローバルシステムフォーモバイルコミュニケーション（ＧＳＭ（登録商標））のような無線機技術を実現することができる。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュＯＦＤＭなどのような、無線機技術を実現することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、“第三世代パートナーシッププロジェクト”（３ＧＰＰ）という名の機関による文書中に記述されている。ＣＤＭＡ２０００およびＵＭＢは、“第三世代パートナーシッププロジェクト２”（３ＧＰＰ２）という名の機関による文書中に記述されている。ここで記述した技術は、上述したシステムおよび無線機技術とともに、他のシステムおよび無線機技術に対して使用してもよい。しかしながら、以下の記述は、例の目的のためにＬＴＥシステムを記述しており、ＬＴＥアプリケーションを超えて技術は適用可能であるが、以下の記述の多くにおいてＬＴＥ専門用語を使用している。
【０１０４】
［０１１５］
さまざまな開示される実施形態のいくつかに適応する通信ネットワークは、レイヤプロトコルスタックにしたがって動作する、パケットベースのネットワークであってもよい。例えば、ベアラでの通信、または、パケットデータ収束プロトコル（ＰＤＣＰ）レイヤでの通信は、ＩＰベースかもしれない。無線リンク制御（ＲＬＣ）レイヤは、パケットのセグメント化と再組み立てとを実行して、論理チャネルを通して通信するかもしれない。メディアアクセス制御（ＭＡＣ）レイヤは、優先度取り扱いと、論理チャネルの伝送チャネルへの多重化とを実行するかもしれない。ＭＡＣレイヤは、ＭＡＣレイヤにおける再送信を提供するハイブリッドＡＲＱ（ＨＡＲＱ）も使用して、リンク効率性を改善させるかもしれない。物理レイヤにおいて、伝送チャネルが物理チャネルにマッピングされるかもしれない。
【０１０５】
［０１１６］
情報および信号は、さまざまな異なる技術および技法のうちの任意のものを使用して表してもよい。例えば、上記の説明全体にわたって参照されているデータ、命令、コマンド、情報、信号、ビット、シンボル、およびチップは、電圧、電流、電磁波、磁界または粒子、光界または粒子、または、これらの任意の組み合わせによって表してもよい。
【０１０６】
［０１１７］
本開示と関連してここで記述したさまざまな例示的なブロックおよびモジュールは、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここで記述した機能を実行するように設計されているこれらの任意の組み合わせたものにより、実現または実行してもよい。汎用プロセッサはマイクロプロセッサであってもよいが、代替実施形態では、プロセッサは、任意の従来のプロセッサ、制御装置、マイクロ制御装置、または状態機械であってもよい。プロセッサはまた、例えば、ＤＳＰおよびマイクロプロセッサを組み合わせたものや、複数のマイクロプロセッサや、ＤＳＰコアを伴う１つ以上のマイクロプロセッサや、または他の任意のこのような構成のような、コンピューティングデバイスを組み合わせたものとして実現してもよい。いくつかのケースにおいて、プロセッサはメモリと電子通信し、メモリは、プロセッサによって実行可能な命令を記憶する。
【０１０７】
［０１１８］
ここで記述した機能は、ハードウェアで、プロセッサによって実行されるソフトウェアで、ファームウェアで、またはこれらのものの任意の組み合わせで実現してもよい。プロセッサによって実行されるソフトウェアで実現した場合、機能は、１つ以上の命令またはコードとして、コンピュータ読取可能媒体上に記憶してもよく、あるいは、１つ以上の命令またはコードとして、コンピュータ読み取り可能媒体上に送信してもよい。他の例およびインプリメンテーションは、開示および添付の特許請求の範囲の、範囲および精神内である。例えば、ソフトウェアの特質によると、上述した機能は、プロセッサによって実行されるソフトウェア、ハードウェア、ファームウェア、ハードワイヤリング、またはこれらの任意のものを組み合わせたものを使用して実現できる。機能を実現する特徴はまた、機能の部分が異なる物理的な位置で実現されるように分散されていることを含め、さまざまなポジションに物理的に位置していてもよい。また、特許請求の範囲中を含めてここで使用する、“のうちの少なくとも１つ”によって始まるアイテムのリスト中で使用される“または”は、例えば、“Ａ、Ｂ、またはＣ、のうちの少なくとも１つ”のリストが、ＡまたはＢまたはＣまたはＡＢまたはＡＣまたはＢＣまたはＡＢＣ（すなわち、ＡとＢとＣ）を意味するような離接的リストを示す。
【０１０８】
［０１１９］
コンピュータプログラムプロダクトまたはコンピュータ読み取り可能媒体は両方、コンピュータ読み取り可能な記憶媒体および通信媒体を含んでおり、通信媒体は、１つの場所から別の場所へのコンピュータプログラムの転送を容易にする何らかの媒体を含んでいる。記憶媒体は、汎用または特殊目的のコンピュータによってアクセスできる何らかの媒体であるかもしれない。限定ではなく例として、コンピュータ読み取り可能媒体は、ＲＡＭや、ＲＯＭや、ＥＥＰＲＯＭ（登録商標）や、ＣＤ−ＲＯＭまたは他の光学ディスク記憶装置や、磁気ディスク記憶装置または他の磁気記憶デバイスや、あるいは、汎用もしくは特殊目的のコンピュータまたは汎用もしくは特殊目的のプロセッサによってアクセスでき、命令またはデータ構造の形態で所望のコンピュータ読み取り可能プログラムコードを運ぶまたは記憶するのに使用することができる他の何らかの媒体を含むことができる。任意の接続もコンピュータ読み取り可能媒体と適切に呼ばれる。例えば、同軸ケーブル、光ファイバケーブル、ツイストペア、デジタル加入者回線（ＤＳＬ）、あるいは、赤外線、無線、およびマイクロ波のようなワイヤレス技術を使用しているウェブサイト、サーバ、または他の遠隔光ソースからソフトウェアが送信される場合には、同軸ケーブル、光ファイバケーブル、ツイストペア、ＤＳＬ、あるいは、赤外線、無線、およびマイクロ波のようなワイヤレス技術は、媒体の定義に含まれる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、およびブルーレイ（登録商標）ディスクを含んでいる。ここで、ディスク（ｄｉｓｋ）が通常、データを磁気的に再生する一方で、ディスク（ｄｉｓｃ）はデータをレーザにより光学的に再生する。上記のものを組み合わせたものも、コンピュータ読み取り可能媒体の範囲内に含まれる。
【０１０９】
［０１２０］
開示の先述の説明は、当業者が開示を製作または使用することを可能にするように提供している。開示に対するさまざまな修正が当業者には容易に明白となろう。ここで規定した一般的な原理は、開示の精神または範囲から逸脱することなく、他のバリエーションに適用してもよい。本開示全体を通して、用語“例”または“例示的な”は、例またはインスタンスを示しており、着目した例に対する基本設定を意味しない、または必要としない。したがって、開示は、ここで記述した例および設計に限定されるべきものではなく、ここで開示した原理および新しい特徴と一致した最も広い範囲を与えられるべきである。
【図１】
2016523461.tif 000003
【図２】
2016523461.tif 000004
【図３】
2016523461.tif 000005
【図４】
2016523461.tif 000006
【図５】
2016523461.tif 000007
【図６】
2016523461.tif 000008
【図７】
2016523461.tif 000009
【図８】
2016523461.tif 000010
【図９】
2016523461.tif 000011
【図１０】
2016523461.tif 000012
【図１１】
2016523461.tif 000013
【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
専用短距離通信（ＤＳＲＣ）スペクトルの少なくとも一部を使用するか否かを決定するためにＤＳＲＣ送信を検出する方法において、
前記方法は、
マルチモードデバイスによって、第１のクロックレートを使用して、前記ＤＳＲＣスペクトルの外側で動作することと、
前記ＤＳＲＣスペクトルの外側で動作している間に第２のクロックレートにスイッチして、前記ＤＳＲＣスペクトルを使用するＤＳＲＣ送信を検出することと、
前記検出したＤＳＲＣ送信がしきい値を超えるか否かを決定することとを含む方法。
【請求項２】
前記検出したＤＳＲＣ送信が前記しきい値を超えないことを決定した際に、前記第１のクロックレートにスイッチすることと、
前記ＤＳＲＣスペクトルの少なくとも一部中で動作することとをさらに含む請求項１記載の方法。
【請求項３】
前記検出したＤＳＲＣ送信が前記しきい値を超えることを決定した際に、前記第１のクロックレートにスイッチすることと、
予め定められた時間期間に対して、前記ＤＳＲＣスペクトルの外側で動作を継続することとをさらに含む請求項１記載の方法。
【請求項４】
予め定められた時間期間に対して、前記第２のクロックレートで動作することと、
前記予め定められた時間期間の満了の際に、前記第１のクロックレートにスイッチすることとをさらに含む請求項１記載の方法。
【請求項５】
１つ以上の検出したＤＳＲＣ送信の発生を、アクセスポイント（ＡＰ）に報告することと、
前記報告したＤＳＲＣ送信の発生に少なくとも部分的に基づいている命令を、前記ＡＰから受信することと、
前記ＡＰから受信した命令に少なくとも部分的に基づいて、前記ＤＳＲＣスペクトルの少なくとも一部中で動作することとをさらに含む請求項１記載の方法。
【請求項６】
前記第２のクロックレートで動作している間に、前記ＤＳＲＣスペクトル内の複数の周波数帯域のうちの少なくとも１つを監視することをさらに含む請求項１記載の方法。
【請求項７】
前記監視した周波数帯域の各々における、送信のアクティビティレベルを決定することをさらに含む請求項６記載の方法。
【請求項８】
前記第１のクロックレートにスイッチすることと、
前記監視した周波数帯域のうちの少なくとも１つを選択することと、
前記少なくとも１つの選択した周波数帯域を使用して、前記ＤＳＲＣスペクトル中で動作することとをさらに含み、
前記周波数帯域は、前記決定したアクティビティレベルに少なくとも部分的に基づいて選択される請求項７記載の方法。
【請求項９】
前記監視した周波数帯域のうちの少なくとも１つを選択することは、
前記ＤＳＲＣスペクトル中のセーフティ関連送信に対して割り振られている周波数帯域の選択を避けることを含む請求項８記載の方法。
【請求項１０】
前記第２のクロックレートは、前記第１のクロックレートの半分である請求項１記載の方法。
【請求項１１】
専用短距離通信（ＤＳＲＣ）スペクトルの少なくとも一部を使用するか否かを決定するためにＤＳＲＣ送信を検出するマルチモードデバイスにおいて、
前記マルチモードデバイスは、
プロセッサと、
前記プロセッサと電子通信するメモリと、
前記メモリ中に記憶されている命令とを具備し、
前記命令は、
第１のクロックレートを使用して、前記ＤＳＲＣスペクトルの外側で前記マルチモードデバイスを動作させ、
前記ＤＳＲＣスペクトルの外側で動作している間に第２のクロックレートにスイッチして、前記ＤＳＲＣスペクトルを使用するＤＳＲＣ送信を検出し、
前記検出したＤＳＲＣ送信がしきい値を超えるか否かを決定するように、前記プロセッサによって実行可能であるマルチモードデバイス。
【請求項１２】
前記命令は、
前記検出したＤＳＲＣ送信が前記しきい値を超えないことを決定した際に、前記第１のクロックレートにスイッチし、
前記ＤＳＲＣスペクトルの少なくとも一部中で動作するように、前記プロセッサによって実行可能である請求項１１記載のマルチモードデバイス。
【請求項１３】
前記命令は、
前記検出したＤＳＲＣ送信が前記しきい値を超えることを決定した際に、前記第１のクロックレートにスイッチし、
予め定められた時間期間に対して、前記ＤＳＲＣスペクトルの外側で動作を継続するように、前記プロセッサによって実行可能である請求項１１記載のマルチモードデバイス。
【請求項１４】
前記命令は、
予め定められた時間期間に対して、前記第２のクロックレートで動作し、
前記予め定められた時間期間の満了の際に、前記第１のクロックレートにスイッチするように、前記プロセッサによって実行可能である請求項１１記載のマルチモードデバイス。
【請求項１５】
前記命令は、
１つ以上の検出したＤＳＲＣ送信の発生を、アクセスポイント（ＡＰ）に報告し、
前記報告したＤＳＲＣ送信の発生に少なくとも部分的に基づいている命令を、前記ＡＰから受信し、
前記ＡＰから受信した命令に少なくとも部分的に基づいて、前記ＤＳＲＣスペクトルの少なくとも一部中で動作するように、前記プロセッサによって実行可能である請求項１１記載のマルチモードデバイス。
【請求項１６】
前記命令は、
前記第２のクロックレートで動作している間に、前記ＤＳＲＣスペクトル内の複数の周波数帯域のうちの少なくとも１つを監視するように、前記プロセッサによって実行可能である請求項１１記載のマルチモードデバイス。
【請求項１７】
前記命令は、
前記監視した周波数帯域の各々における、送信のアクティビティレベルを決定するように、前記プロセッサによって実行可能である請求項１６記載のマルチモードデバイス。
【請求項１８】
前記命令は、
前記第１のクロックレートにスイッチし、
前記監視した周波数帯域のうちの少なくとも１つを選択し、
前記少なくとも１つの選択した周波数帯域を使用して、前記ＤＳＲＣスペクトル中で動作するように、前記プロセッサによって実行可能であり、
前記周波数帯域は、前記決定したアクティビティレベルに少なくとも部分的に基づいて選択される請求項１７記載のマルチモードデバイス。
【請求項１９】
前記命令は、
前記ＤＳＲＣスペクトル中のセーフティ関連送信に対して割り振られている周波数帯域の選択を避けるように、前記プロセッサによって実行可能である請求項１８記載のマルチモードデバイス。
【請求項２０】
前記第２のクロックレートは、前記第１のクロックレートの半分である請求項１１記載のマルチモードデバイス。
【請求項２１】
専用短距離通信（ＤＳＲＣ）スペクトルの少なくとも一部を使用するか否かを決定するためにＤＳＲＣ送信を検出するマルチモードデバイスにおいて、
前記マルチモードデバイスは、
第１のクロックレートを使用して、前記ＤＳＲＣスペクトルの外側で前記マルチモードデバイスを動作させる手段と、
前記ＤＳＲＣスペクトルの外側で動作している間に第２のクロックレートにスイッチして、前記ＤＳＲＣスペクトルを使用するＤＳＲＣ送信を検出する手段と、
前記検出したＤＳＲＣ送信がしきい値を超えるか否かを決定する手段とを具備するマルチモードデバイス。
【請求項２２】
前記検出したＤＳＲＣ送信が前記しきい値を超えないことを決定した際に、前記第１のクロックレートにスイッチする手段と、
前記ＤＳＲＣスペクトルの少なくとも一部中で動作する手段とをさらに具備する請求項２１記載のマルチモードデバイス。
【請求項２３】
前記検出したＤＳＲＣ送信が前記しきい値を超えることを決定した際に、前記第１のクロックレートにスイッチする手段と、
予め定められた時間期間に対して、前記ＤＳＲＣスペクトルの外側で動作を継続する手段とをさらに具備する請求項２１記載のマルチモードデバイス。
【請求項２４】
予め定められた時間期間に対して、前記第２のクロックレートで動作する手段と、
前記予め定められた時間期間の満了の際に、前記第１のクロックレートにスイッチする手段とをさらに具備する請求項２１記載のマルチモードデバイス。
【請求項２５】
１つ以上の検出したＤＳＲＣ送信の発生を、アクセスポイント（ＡＰ）に報告する手段と、
前記報告したＤＳＲＣ送信の発生に少なくとも部分的に基づいている命令を、前記ＡＰから受信する手段と、
前記ＡＰから受信した命令に少なくとも部分的に基づいて、前記ＤＳＲＣスペクトルの少なくとも一部中で動作する手段とをさらに具備する請求項２１記載のマルチモードデバイス。
【請求項２６】
前記第２のクロックレートで動作している間に、前記ＤＳＲＣスペクトル内の複数の周波数帯域のうちの少なくとも１つを監視する手段をさらに具備する請求項２１記載のマルチモードデバイス。
【請求項２７】
専用短距離通信（ＤＳＲＣ）スペクトルの少なくとも一部を使用するか否かを決定するためにＤＳＲＣ送信を検出するコンピュータプログラムプロダクトにおいて、
前記コンピュータプログラムプロダクトは、命令を記憶する一時的でないコンピュータ読み取り可能媒体を具備し、
前記命令は、
第１のクロックレートを使用して、前記ＤＳＲＣスペクトルの外側でマルチモードデバイスを動作させ、
前記ＤＳＲＣスペクトルの外側で動作している間に第２のクロックレートにスイッチして、前記ＤＳＲＣスペクトルを使用するＤＳＲＣ送信を検出し、
前記検出したＤＳＲＣ送信がしきい値を超えるか否かを決定するように、プロセッサによって実行可能であるコンピュータプログラムプロダクト。
【手続補正２】
【補正対象書類名】明細書
【補正対象項目名】０１０９
【補正方法】変更
【補正の内容】
【０１０９】
［０１２０］
開示の先述の説明は、当業者が開示を製作または使用することを可能にするように提供している。開示に対するさまざまな修正が当業者には容易に明白となろう。ここで規定した一般的な原理は、開示の精神または範囲から逸脱することなく、他のバリエーションに適用してもよい。本開示全体を通して、用語“例”または“例示的な”は、例またはインスタンスを示しており、着目した例に対する基本設定を意味しない、または必要としない。したがって、開示は、ここで記述した例および設計に限定されるべきものではなく、ここで開示した原理および新しい特徴と一致した最も広い範囲を与えられるべきである。
以下に、本願出願の当初の特許請求の範囲に記載された発明を付記する。
［１］専用短距離通信（ＤＳＲＣ）スペクトルの少なくとも一部を使用するか否かを決定するためにＤＳＲＣ送信を検出する方法において、
前記方法は、
マルチモードデバイスによって、第１のクロックレートを使用して、前記ＤＳＲＣスペクトルの外側で動作することと、
前記ＤＳＲＣスペクトルの外側で動作している間に第２のクロックレートにスイッチして、前記ＤＳＲＣスペクトルを使用するＤＳＲＣ送信を検出することとを含む方法。
［２］前記検出したＤＳＲＣ送信がしきい値を超えるか否かを決定することをさらに含む［１］記載の方法。
［３］前記検出したＤＳＲＣ送信が前記しきい値を超えないことを決定した際に、前記第１のクロックレートにスイッチすることと、
前記ＤＳＲＣスペクトルの少なくとも一部中で動作することとをさらに含む［２］記載の方法。
［４］前記検出したＤＳＲＣ送信が前記しきい値を超えることを決定した際に、前記第１のクロックレートにスイッチすることと、
予め定められた時間期間に対して、前記ＤＳＲＣスペクトルの外側で動作を継続することとをさらに含む［２］記載の方法。
［５］予め定められた時間期間に対して、前記第２のクロックレートで動作することと、
前記予め定められた時間期間の満了の際に、前記第１のクロックレートにスイッチすることとをさらに含む［１］記載の方法。
［６］１つ以上の検出したＤＳＲＣ送信の発生を、アクセスポイント（ＡＰ）に報告することと、
前記報告したＤＳＲＣ送信の発生に少なくとも部分的に基づいている命令を、前記ＡＰから受信することと、
前記ＡＰから受信した命令に少なくとも部分的に基づいて、前記ＤＳＲＣスペクトルの少なくとも一部中で動作することとをさらに含む［１］記載の方法。
［７］前記第２のクロックレートで動作している間に、前記ＤＳＲＣスペクトル内の複数の周波数帯域のうちの少なくとも１つを監視することをさらに含む［１］記載の方法。
［８］前記監視した周波数帯域の各々における、送信のアクティビティレベルを決定することをさらに含む［７］記載の方法。
［９］前記第１のクロックレートにスイッチすることと、
前記監視した周波数帯域のうちの少なくとも１つを選択することと、
前記少なくとも１つの選択した周波数帯域を使用して、前記ＤＳＲＣスペクトル中で動作することとをさらに含み、
前記周波数帯域は、前記決定したアクティビティレベルに少なくとも部分的に基づいて選択される［８］記載の方法。
［１０］前記監視した周波数帯域のうちの少なくとも１つを選択することは、
前記ＤＳＲＣスペクトル中のセーフティ関連送信に対して割り振られている周波数帯域の選択を避けることを含む［９］記載の方法。
［１１］前記第２のクロックレートは、前記第１のクロックレートの半分である［１］記載の方法。
［１２］専用短距離通信（ＤＳＲＣ）スペクトルの少なくとも一部を使用するか否かを決定するためにＤＳＲＣ送信を検出するマルチモードデバイスにおいて、
前記マルチモードデバイスは、
プロセッサと、
前記プロセッサと電子通信するメモリと、
前記メモリ中に記憶されている命令とを具備し、
前記命令は、
第１のクロックレートを使用して、前記ＤＳＲＣスペクトルの外側で前記マルチモードデバイスを動作させ、
前記ＤＳＲＣスペクトルの外側で動作している間に第２のクロックレートにスイッチして、前記ＤＳＲＣスペクトルを使用するＤＳＲＣ送信を検出するように、前記プロセッサによって実行可能であるマルチモードデバイス。
［１３］前記命令は、
前記検出したＤＳＲＣ送信がしきい値を超えるか否かを決定するように、前記プロセッサによって実行可能である［１２］記載のマルチモードデバイス。
［１４］前記命令は、
前記検出したＤＳＲＣ送信が前記しきい値を超えないことを決定した際に、前記第１のクロックレートにスイッチし、
前記ＤＳＲＣスペクトルの少なくとも一部中で動作するように、前記プロセッサによって実行可能である［１３］記載のマルチモードデバイス。
［１５］前記命令は、
前記検出したＤＳＲＣ送信が前記しきい値を超えることを決定した際に、前記第１のクロックレートにスイッチし、
予め定められた時間期間に対して、前記ＤＳＲＣスペクトルの外側で動作を継続するように、前記プロセッサによって実行可能である［１３］記載のマルチモードデバイス。
［１６］前記命令は、
予め定められた時間期間に対して、前記第２のクロックレートで動作し、
前記予め定められた時間期間の満了の際に、前記第１のクロックレートにスイッチするように、前記プロセッサによって実行可能である［１２］記載のマルチモードデバイス。
［１７］前記命令は、
１つ以上の検出したＤＳＲＣ送信の発生を、アクセスポイント（ＡＰ）に報告し、
前記報告したＤＳＲＣ送信の発生に少なくとも部分的に基づいている命令を、前記ＡＰから受信し、
前記ＡＰから受信した命令に少なくとも部分的に基づいて、前記ＤＳＲＣスペクトルの少なくとも一部中で動作するように、前記プロセッサによって実行可能である［１２］記載のマルチモードデバイス。
［１８］前記命令は、
前記第２のクロックレートで動作している間に、前記ＤＳＲＣスペクトル内の複数の周波数帯域のうちの少なくとも１つを監視するように、前記プロセッサによって実行可能である［１２］記載のマルチモードデバイス。
［１９］前記命令は、
前記監視した周波数帯域の各々における、送信のアクティビティレベルを決定するように、前記プロセッサによって実行可能である［１８］記載のマルチモードデバイス。
［２０］前記命令は、
前記第１のクロックレートにスイッチし、
前記監視した周波数帯域のうちの少なくとも１つを選択し、
前記少なくとも１つの選択した周波数帯域を使用して、前記ＤＳＲＣスペクトル中で動作するように、前記プロセッサによって実行可能であり、
前記周波数帯域は、前記決定したアクティビティレベルに少なくとも部分的に基づいて選択される［１９］記載のマルチモードデバイス。
［２１］前記命令は、
前記ＤＳＲＣスペクトル中のセーフティ関連送信に対して割り振られている周波数帯域の選択を避けるように、前記プロセッサによって実行可能である［２０］記載のマルチモードデバイス。
［２２］前記第２のクロックレートは、前記第１のクロックレートの半分である［１２］記載のマルチモードデバイス。
［２３］専用短距離通信（ＤＳＲＣ）スペクトルの少なくとも一部を使用するか否かを決定するためにＤＳＲＣ送信を検出するマルチモードデバイスにおいて、
前記マルチモードデバイスは、
第１のクロックレートを使用して、前記ＤＳＲＣスペクトルの外側で前記マルチモードデバイスを動作させる手段と、
前記ＤＳＲＣスペクトルの外側で動作している間に第２のクロックレートにスイッチして、前記ＤＳＲＣスペクトルを使用するＤＳＲＣ送信を検出する手段とを具備するマルチモードデバイス。
［２４］前記検出したＤＳＲＣ送信がしきい値を超えるか否かを決定する手段をさらに具備する［２３］記載のマルチモードデバイス。
［２５］前記検出したＤＳＲＣ送信が前記しきい値を超えないことを決定した際に、前記第１のクロックレートにスイッチする手段と、
前記ＤＳＲＣスペクトルの少なくとも一部中で動作する手段とをさらに具備する［２４］記載のマルチモードデバイス。
［２６］前記検出したＤＳＲＣ送信が前記しきい値を超えることを決定した際に、前記第１のクロックレートにスイッチする手段と、
予め定められた時間期間に対して、前記ＤＳＲＣスペクトルの外側で動作を継続する手段とをさらに具備する［２４］記載のマルチモードデバイス。
［２７］予め定められた時間期間に対して、前記第２のクロックレートで動作する手段と、
前記予め定められた時間期間の満了の際に、前記第１のクロックレートにスイッチする手段とをさらに具備する［２３］記載のマルチモードデバイス。
［２８］１つ以上の検出したＤＳＲＣ送信の発生を、アクセスポイント（ＡＰ）に報告する手段と、
前記報告したＤＳＲＣ送信の発生に少なくとも部分的に基づいている命令を、前記ＡＰから受信する手段と、
前記ＡＰから受信した命令に少なくとも部分的に基づいて、前記ＤＳＲＣスペクトルの少なくとも一部中で動作する手段とをさらに具備する［２３］記載のマルチモードデバイス。
［２９］前記第２のクロックレートで動作している間に、前記ＤＳＲＣスペクトル内の複数の周波数帯域のうちの少なくとも１つを監視する手段をさらに具備する［２３］記載のマルチモードデバイス。
［３０］専用短距離通信（ＤＳＲＣ）スペクトルの少なくとも一部を使用するか否かを決定するためにＤＳＲＣ送信を検出するコンピュータプログラムプロダクトにおいて、
前記コンピュータプログラムプロダクトは、命令を記憶する一時的でないコンピュータ読み取り可能媒体を具備し、
前記命令は、
第１のクロックレートを使用して、前記ＤＳＲＣスペクトルの外側でマルチモードデバイスを動作させ、
前記ＤＳＲＣスペクトルの外側で動作している間に第２のクロックレートにスイッチして、前記ＤＳＲＣスペクトルを使用するＤＳＲＣ送信を検出するように、プロセッサによって実行可能であるコンピュータプログラムプロダクト。
【国際調査報告】
2016523461.tif 000014
2016523461.tif 000015